(57)【要約】【課題】有機発光素子、及びそれを含む電子装置を提供する。【解決手段】アノードと、カソードと、アノードとカソードとの間に介在され、発光領域を含む有機層と、を含み、発光領域が第１発光層、第２発光層及び第１励起子消光層を含み、第１発光層は、第１ホスト及び第１ドーパントを含み、第２発光層は、第２ホスト及び第２ドーパントを含み、第１励起子消光層は、第１発光層と第２発光層との間に介在され、第１消光物質を含む有機発光素子である。【選択図】図１
2020136256.tif 000002
【特許請求の範囲】
【請求項１】
アノードと、
カソードと、
前記アノードと前記カソードとの間に介在され、発光領域を含む有機層と、を含み、
前記発光領域が第１発光層、第２発光層及び第１励起子消光層を含み、
前記第１発光層は、第１ホスト及び第１ドーパントを含み、
前記第２発光層は、第２ホスト及び第２ドーパントを含み、
前記第１励起子消光層は、第１発光層と前記第２発光層との間に介在され、第１消光物質を含む有機発光素子。
【請求項２】
前記第１ホスト、前記第１ドーパント、前記第２ホスト、前記第２ドーパント及び前記第１消光物質は、数式（１−１）〜数式（１−４）を満足することを特徴とする請求項１に記載の有機発光素子。
Ｔ１（Ｑ１）≦Ｔ１（Ｈ１）              （１−１）
Ｔ１（Ｑ１）≦Ｔ１（Ｄ１）              （１−２）
Ｔ１（Ｑ１）≦Ｔ１（Ｈ２）              （１−３）
Ｔ１（Ｑ１）≦Ｔ１（Ｄ２）              （１−４）
ここで、数式（１−１）及び数式（１−２）において、
Ｔ１（Ｑ１）は、前記第１消光物質の最低励起三重項エネルギーレベルであり、
Ｔ１（Ｈ１）は、前記第１ホストの最低励起三重項エネルギーレベルであり、
Ｔ１（Ｄ１）は、前記第１ドーパントの最低励起三重項エネルギーレベルであり、
Ｔ１（Ｈ２）は、前記第２ホストの最低励起三重項エネルギーレベルであり、
Ｔ１（Ｄ２）は、前記第２ドーパントの最低励起三重項エネルギーレベルである。
【請求項３】
前記第１消光物質の最低励起三重項エネルギーレベルＴ１（Ｑ１）は、１ｅＶ〜３．５ｅＶであることを特徴とする請求項１に記載の有機発光素子。
【請求項４】
前記第１消光物質は、蛍光発光材料または及びリン光発光材料のうちから選択された１種以上を含むことを特徴とする請求項１に記載の有機発光素子。
【請求項５】
前記第１消光物質が蛍光発光材料を含み、
前記蛍光発光材料は、下記化合物ＭＨ１〜ＭＨ１３、及び化学式ＬＨ１〜ＬＨ１１のうちから選択されることであることを特徴とする請求項４に記載の有機発光素子。
【化１】
2020136256.tif 000122
2020136256.tif 000123
2020136256.tif 000124
2020136256.tif 000125
2020136256.tif 000126
。
【請求項６】
前記第１消光物質が蛍光発光材料を含み、
前記蛍光発光材料は、ジアミン系化合物、スチリル系化合物、ペリレン系化合物及びクマリン系化合物のうちから選択された１種以上を含むことを特徴とする請求項４に記載の有機発光素子。
【請求項７】
前記第１消光物質がリン光発光材料を含み、
前記リン光発光材料は、下記化合物Ｈ１０１〜Ｈ１１９のうちから選択されることであることを特徴とする請求項４に記載の有機発光素子。
【化２】
2020136256.tif 000127
2020136256.tif 000128
2020136256.tif 000129
2020136256.tif 000130
2020136256.tif 000131
2020136256.tif 000132
2020136256.tif 000133
2020136256.tif 000134
2020136256.tif 000135
2020136256.tif 000136
2020136256.tif 000137
2020136256.tif 000138
2020136256.tif 000139
2020136256.tif 000140
2020136256.tif 000141
2020136256.tif 000142
2020136256.tif 000143
2020136256.tif 000144
2020136256.tif 000145
。
【請求項８】
前記第１消光物質がリン光発光材料を含み、
前記リン光発光材料は、赤色発光または緑色発光に使用されることを特徴とする請求項４に記載の有機発光素子。
【請求項９】
前記第１励起子消光層１００重量部当たり、前記第１消光物質の含量は、０．０５重量部〜２０重量部であることを特徴とする請求項１に記載の有機発光素子。
【請求項１０】
前記第１励起子消光層と前記第１発光層との界面から、前記第１励起子消光層と前記第２発光層との界面までの長さ１００％に対して、
前記第１消光物質１００重量部のうち７０重量部以上が、（ｉ）前記第１励起子消光層と前記第１発光層との界面からの長さが、０％〜２０％である領域（Ｍ０，２０）、及び（ｉｉ）前記第１励起子消光層と前記第１発光層との界面からの長さが、８０％〜１００％である領域（Ｍ８０，１００）に含まれることを特徴とする請求項１に記載の有機発光素子。
【請求項１１】
前記第１励起子消光層と前記第１発光層との界面から、前記第１励起子消光層と前記第２発光層との界面までの長さ１００％に対して、
前記第１消光物質１００重量部のうち７０重量部以上が前記第１励起子消光層と前記第１発光層との界面からの長さが、０％〜５０％である領域（Ｍ０，５０）、または（ｉｉ）前記第１励起子消光層と前記第１発光層との界面からの長さが、５０％〜１００％である領域（Ｍ５０，１００）に含まれることを特徴とする請求項１に記載の有機発光素子。
【請求項１２】
前記第１励起子消光層は、第３ホストをさらに含むか、あるいは
前記第１励起子消光層が、第３ホスト及び第３ドーパントをさらに含むことを特徴とする請求項１に記載の有機発光素子。
【請求項１３】
前記第１ホストまたは前記第２ホストのうち少なくとも一つが、前記第３ホストと同一であることを特徴とする請求項１２に記載の有機発光素子。
【請求項１４】
前記第１ホストは、電子輸送性モイエティを含んでいない第１正孔輸送性ホストと、少なくとも１つの電子輸送性モイエティを含む第１電子輸送性ホストと、を含み、
前記第２ホストは、電子輸送性モイエティを含んでいない第２正孔輸送性ホストと、少なくとも１つの電子輸送性モイエティを含む第２電子輸送性ホストと、を含むことを特徴とする請求項１に記載の有機発光素子。
【請求項１５】
前記第１正孔輸送性ホスト及び前記第２正孔輸送性ホストは、互いに独立して、下記化学式３０１−１〜３０１−６のうちから選択されたいずれか一つで表示され、
前記第１電子輸送性ホスト及び前記第２電子輸送性ホストは、互いに独立して、下記化学式３０１−７〜３０１−９のうちから選択されたいずれか一つで表示されたことを特徴とする請求項１４に記載の有機発光素子。
【化３】
2020136256.tif 000146
．．．  ３０１−１
【化４】
2020136256.tif 000147
．．．  ３０１−２
【化５】
2020136256.tif 000148
．．．  ３０１−３
【化６】
2020136256.tif 000149
．．．  ３０１−４
【化７】
2020136256.tif 000150
．．．  ３０１−５
【化８】
2020136256.tif 000151
．．．  ３０１−６
【化９】
2020136256.tif 000152
．．．  ３０１−７
【化１０】
2020136256.tif 000153
．．．  ３０１−８
【化１１】
2020136256.tif 000154
．．．  ３０１−９
前記化学式３０１−１〜化学式３０１−９で、
Ａ３０１〜Ａ３０４は、互いに独立して、ベンゼン、ナフタレン、フェナントレン、フルオランテン、トリフェニレン、ピレン、クリセン、ピリジン、ピリミジン、インデン、フルオレン、スピロ−ビフルオレン、ベンゾフルオレン、ジベンゾフルオレン、インドール、カルバゾール、ベンゾカルバゾール、ジベンゾカルバゾール、フラン、ベンゾフラン、ジベンゾフラン、ナフトフラン、ベンゾナフトフラン、ジナフトフラン、チオフェン、ベンゾチオフェン、ジベンゾチオフェン、ナフトチオフェン、ベンゾナフトチオフェン及びジナフトチオフェンのうちから選択され、
Ｘ３０１は、Ｏ、ＳまたはＮ−［（Ｌ３０４）ｘｂ４−Ｒ３０４］であり、
Ｘ３０２は、ＮまたはＣ（Ｒ３１１）であり、Ｘ３０３は、ＮまたはＣ（Ｒ３１２）であり、Ｘ３０４は、ＮまたはＣ（Ｒ３１３）であり、Ｘ３０２〜Ｘ３０４のうち少なくとも一つは、Ｎであり、
Ｘ３０５は、ＮまたはＣ（Ｒ３１１）であり、Ｘ３０６は、ＮまたはＣ（Ｒ３１２）であり、Ｘ３０７は、ＮまたはＣ（Ｒ３１３）であり、Ｘ３０８は、ＮまたはＣ（Ｒ３１４）であり、Ｘ３０５〜Ｘ３０８のうち少なくとも一つがＮであり、
Ｙ３０１及びＹ３０２は、互いに独立して、単結合、Ｏ、Ｓ、Ｎ−［（Ｌ３０５）ｘｂ５−Ｒ３０５］またはＳ（＝Ｏ）２であり、
ｘｂ２１〜ｘｂ２４は、互いに独立して、０、１または２であり、
Ａｒ３０１は、置換もしくは無置換のＣ５−Ｃ６０炭素環式基、または置換もしくは無置換のＣ１−Ｃ６０ヘテロ環式基であり、
Ｌ３０１〜Ｌ３０５は、互いに独立して、置換もしくは無置換のＣ３−Ｃ１０シクロアルキレン基、置換もしくは無置換のＣ１−Ｃ１０ヘテロシクロアルキレン基、置換もしくは無置換のＣ３−Ｃ１０シクロアルケニレン基、置換もしくは無置換のＣ１−Ｃ１０ヘテロシクロアルケニレン基、置換もしくは無置換のＣ６−Ｃ６０アリーレン基、置換もしくは無置換のＣ１−Ｃ６０ヘテロアリーレン基、置換もしくは無置換の二価非芳香族縮合多環基、及び置換もしくは無置換の二価非芳香族ヘテロ縮合多環基のうちから選択され、
ｘｂ１〜ｘｂ４は、０〜５の整数のうちから選択され、
ｘｂ５は、１〜５の整数のうちから選択され、
Ｒ３０１〜Ｒ３０５は、互いに独立して、重水素、−Ｆ、−Ｃｌ、−Ｂｒ、−Ｉ、ヒドロキシル基、シアノ基、ニトロ基、アミジノ基、ヒドラジノ基、ヒドラゾノ基、置換もしくは無置換のＣ１−Ｃ６０アルキル基、置換もしくは無置換のＣ２−Ｃ６０アルケニル基、置換もしくは無置換のＣ２−Ｃ６０アルキニル基、置換もしくは無置換のＣ１−Ｃ６０アルコキシ基、置換もしくは無置換のＣ３−Ｃ１０シクロアルキル基、置換もしくは無置換のＣ１−Ｃ１０ヘテロシクロアルキル基、置換もしくは無置換のＣ３−Ｃ１０シクロアルケニル基、置換もしくは無置換のＣ１−Ｃ１０ヘテロシクロアルケニル基、置換もしくは無置換のＣ６−Ｃ６０アリール基、置換もしくは無置換のＣ６−Ｃ６０アリールオキシ基、置換もしくは無置換のＣ６−Ｃ６０アリールチオ基、置換もしくは無置換のＣ１−Ｃ６０ヘテロアリール基、置換もしくは無置換の一価非芳香族縮合多環基、置換もしくは無置換の一価非芳香族ヘテロ縮合多環基、−Ｓｉ（Ｑ３０１）（Ｑ３０２）（Ｑ３０３）、−Ｎ（Ｑ３０１）（Ｑ３０２）、−Ｂ（Ｑ３０１）（Ｑ３０２）、−Ｃ（＝Ｏ）（Ｑ３０１）、−Ｓ（＝Ｏ）２（Ｑ３０１）、及び−Ｐ（＝Ｏ）（Ｑ３０１）（Ｑ３０２）のうちから選択され、
Ｒ３１１〜Ｒ３１４は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ターフェニリル基、ナフチル基、ジベンゾフラニル基、ジベンゾチオフェニル基、−ＳＨ、−Ｓ（Ｑ３０１）、−Ｓｉ（Ｑ３０１）（Ｑ３０２）（Ｑ３０３）、−Ｎ（Ｑ３０１）（Ｑ３０２）、−Ｂ（Ｑ３０１）（Ｑ３０２）、−Ｃ（＝Ｏ）（Ｑ３０１）、−Ｓ（＝Ｏ）２（Ｑ３０１）及び−Ｐ（＝Ｏ）（Ｑ３０１）（Ｑ３０２）のうちから選択され、
Ｑ３０１及びＱ３０２は、互いに独立して、Ｃ１−Ｃ１０アルキル基、Ｃ１−Ｃ１０アルコキシ基、フェニル基、ビフェニリル基、ターフェニリル基、ペンタレニル基、インデニル基、ナフチル基、アズレニル基、ヘプタレニル基、インダセニル基、アセナフチル基、フルオレニル基、スピロ−ビフルオレニル基、ベンゾフルオレニル基、ジベンゾフルオレニル基、フェナレニル基、フェナントレニル基、アントラセニル基、フルオランテニル基、トリフェニレニル基、ピレニル基、クリセニル基、ナフタセニル基、ピセニル基、ペリレニル基、ペンタフェニル基、ヘキサセニル基、ペンタセニル基、ルビセニル基、コロネニル基、オバレニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基及びピリジニル基のうちから選択され、
前記化学式３０１−７で、Ｒ３０１〜Ｒ３０３、及びＲ３１１〜Ｒ３１３において、隣接する２以上の置換基が選択的に互いに結合し、置換もしくは無置換のＣ１−Ｃ６０炭素環式基、または置換もしくは無置換のＣ１−Ｃ６０ヘテロ環式基を形成し、
前記化学式３０１−９で、Ｒ３１１〜Ｒ３１４において、隣接する２以上の置換基が、選択的に互いに結合し、置換もしくは無置換のＣ１−Ｃ６０炭素環式基、または置換もしくは無置換のＣ１−Ｃ６０ヘテロ環式基を形成する。
【請求項１６】
前記第１ドーパント及び第２ドーパントは、それぞれリン光ドーパントまたは遅延蛍光ドーパントであることを特徴とする請求項１に記載の有機発光素子。
【請求項１７】
前記リン光ドーパントは、下記化学式４０１で表示される有機金属錯体を含むことを特徴とする請求項１６に記載の有機発光素子。
Ｍ（Ｌ４０１）ｘｃ１（Ｌ４０２）ｘｃ２  ．．．  ４０１
【化１２】
2020136256.tif 000155
．．．  ４０２
前記化学式４０１及び化学式４０２で、
Ｍは、イリジウム（Ｉｒ）、白金（Ｐｔ）、パラジウム（Ｐｄ）、オスミウム（Ｏｓ）、チタン（Ｔｉ）、ジルコニウム（Ｚｒ）、ハフニウム（Ｈｆ）、ユウロピウム（Ｅｕ）、テルビウム（Ｔｂ）、ロジウム（Ｒｈ）及びツリウム（Ｔｍ）のうちから選択され、
Ｌ４０１は、前記化学式４０２で表示されるリガンドのうちから選択され、ｘｃ１は、１、２または３であり、ｘｃ１が２以上である場合、２以上のＬ４０１は、互いに同一であっても異なっていてもよく、
Ｌ４０２は、有機リガンドであり、ｘｃ２は、０〜４の整数のうちから選択され、ｘｃ２が２以上である場合、２以上のＬ４０２は、互いに同一であっても異なっていてもよく、
Ｘ４０１〜Ｘ４０４は、互いに独立して、窒素または炭素であり、
Ｘ４０１とＸ４０３は、単結合または二重結合を介して連結され、Ｘ４０２とＸ４０４は、単結合または二重結合を介して連結され、
Ａ４０１及びＡ４０２は、互いに独立して、Ｃ５−Ｃ６０炭素環式基またはＣ１−Ｃ６０ヘテロ環式基であり、
Ｘ４０５は、単結合、＊−Ｏ−＊’、＊−Ｓ−＊’、＊−Ｃ（＝Ｏ）−＊’、＊−Ｎ（Ｑ４１１）−＊’、＊−Ｃ（Ｑ４１１）（Ｑ４１２）−＊’、＊−Ｃ（Ｑ４１１）＝Ｃ（Ｑ４１２）−＊’、＊−Ｃ（Ｑ４１１）＝＊’または＊＝Ｃ（Ｑ４１１）＝＊’であり、前記Ｑ４１１及びＱ４１２は、水素、重水素、Ｃ１−Ｃ２０アルキル基、Ｃ１−Ｃ２０アルコキシ基、フェニル基、ビフェニリル基、ターフェニル基またはナフチル基であり、
Ｘ４０６は、単結合、ＯまたはＳであり、
Ｒ４０１及びＲ４０２は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、置換もしくは無置換のＣ１−Ｃ２０アルキル基、置換もしくは無置換のＣ１−Ｃ２０アルコキシ基、置換もしくは無置換のＣ３−Ｃ１０シクロアルキル基、置換もしくは無置換のＣ１−Ｃ１０ヘテロシクロアルキル基、置換もしくは無置換のＣ３−Ｃ１０シクロアルケニル基、置換もしくは無置換のＣ１−Ｃ１０ヘテロシクロアルケニル基、置換もしくは無置換のＣ６−Ｃ６０アリール基、置換もしくは無置換のＣ６−Ｃ６０アリールオキシ基、置換もしくは無置換のＣ６−Ｃ６０アリールチオ基、置換もしくは無置換のＣ１−Ｃ６０ヘテロアリール基、置換もしくは無置換の一価非芳香族縮合多環基、及び置換もしくは無置換の一価非芳香族ヘテロ縮合多環基、−Ｓｉ（Ｑ４０１）（Ｑ４０２）（Ｑ４０３）、−Ｎ（Ｑ４０１）（Ｑ４０２）、−Ｂ（Ｑ４０１）（Ｑ４０２）、−Ｃ（＝Ｏ）（Ｑ４０１）、−Ｓ（＝Ｏ）２（Ｑ４０１）、及び−Ｐ（＝Ｏ）（Ｑ４０１）（Ｑ４０２）のうちから選択され、前記Ｑ４０１〜Ｑ４０３は、互いに独立して、Ｃ１−Ｃ１０アルキル基、Ｃ１−Ｃ１０アルコキシ基、Ｃ６−Ｃ２０アリール基及びＣ１−Ｃ２０ヘテロアリール基のうちから選択され、
ｘｃ１１及びｘｃ１２は、互いに独立して、０〜１０の整数のうちから選択され、
前記化学式４０２で、＊及び＊’は、前記化学式４０１におけるＭとの結合サイトである。
【請求項１８】
前記遅延蛍光ドーパントは、下記数式（３）を満足し、金属原子を含まないことを特徴とする請求項１６に記載の有機発光素子。
│Ｓ１（ＤＦ）−Ｔ１（ＤＦ）│≦０．５ｅＶ          （３）
前記数式（３）で、
Ｔ１（ＤＦ）は、前記遅延蛍光ドーパントの最低励起三重項エネルギーレベルであり、
Ｓ１（ＤＦ）は、前記遅延蛍光ドーパントの最低励起一重項エネルギーレベルである。
【請求項１９】
前記第１励起子消光層の厚み（ＤＱ１）と前記第１発光層の厚み（ＤＥ１）は、ＤＥ１≧ＤＱ１を満足し、
前記第１励起子消光層の厚み（ＤＱ１）と前記第２発光層の厚み（ＤＥ２）は、ＤＥ２≧ＤＱ１を満足することを特徴とする請求項１に記載の有機発光素子。
【請求項２０】
前記第２発光層は、前記第１発光層と前記カソードとの間に介在され、
前記有機層が、
前記アノード及び前記第１発光層の間に介在されて電子阻止層を含む正孔輸送領域と、
前記第２発光層と前記カソードとの間に介在されて正孔阻止層を含む電子輸送領域と、を含み、
前記電子阻止層は、前記第１発光層に直接接し、
前記正孔阻止層は、前記第２発光層に直接接するものであることを特徴とする請求項１に記載の有機発光素子。
【請求項２１】
ソース電極、ドレイン電極及び活性層を含む薄膜トランジスタと、
請求項１乃至請求項２０のうちいずれか１項に記載の有機発光素子と、を含み、
前記発光素子の第１電極が、前記薄膜トランジスタのソース電極及びドレイン電極のうちいずれか一つと電気的に連結された電子装置。
【発明の詳細な説明】
【技術分野】
【０００１】
本発明は、有機発光素子、及びそれを含んだ電子装置に関する。
【背景技術】
【０００２】
有機発光素子（ｏｒｇａｎｉｃ  ｌｉｇｈｔ  ｅｍｉｔｔｉｎｇ  ｄｅｖｉｃｅ）は、自発光型素子であり、従来の素子に比べ、視野角が広くてコントラストに優れるだけではでなく、応答時間が短く、輝度、駆動電圧及び応答速度の特性が優れ、多色化が可能である。
【０００３】
有機発光素子は、基板上部に、第１電極が配置されており、第１電極上部に、正孔輸送領域（ｈｏｌｅ  ｔｒａｎｓｐｏｒｔ  ｒｅｇｉｏｎ）、発光層、電子輸送領域（ｅｌｅｃｔｒｏｎ  ｔｒａｎｓｐｏｒｔ  ｒｅｇｉｏｎ）及び第２電極が順次に形成されている構造を有することができる。第１電極から注入された正孔は、正孔輸送領域を経由して発光層に移動し、第２電極から注入された電子は、電子輸送領域を経由して発光層に移動する。前述の正孔及び電子のようなキャリアは、発光層領域で再結合し、励起子（ｅｘｃｉｔｏｎ）を生成する。
【０００４】
電子スピン統計によれば、一重項励起子と三重項励起子は、１：３の比率で形成される。そのような励起子は、ＩＳＣ（ｉｎｔｅｒ−ｓｙｓｔｅｍ  ｃｒｏｓｓｉｎｇ）または三重項・三重項ｆｕｓｉｏｎ（ＴＴＦ）により、一重項励起子と三重項励起子との転移が発生する。蛍光発光体を使用する素子の場合、一重項励起子が励起状態から基底状態に遷移しながら、光が形成され、リン光発光体を使用する素子の場合、三重項励起子が励起状態から基底状態に遷移しながら光が形成される。
【先行技術文献】
【特許文献】
【０００５】
【特許文献１】韓国公開特許第２０１０−００６７０６２号公報
【発明の概要】
【発明が解決しようとする課題】
【０００６】
本発明が解決しようとする課題は、有機発光素子、及びそれを含んだ電子装置を提供することである。
【課題を解決するための手段】
【０００７】
一実施形態によれば、アノードと、カソードと、アノードとカソードとの間に介在され、発光領域（ｅｍｉｓｓｉｏｎ  ｒｅｇｉｏｎ）を含む有機層と、を含み、発光領域が第１発光層、第２発光層及び第１励起子消光層を含み、第１発光層は、第１ホスト及び第１ドーパントを含み、第２発光層は、第２ホスト及び第２ドーパントを含み、第１励起子消光層は、第１発光層と第２発光層との間に介在され、第１消光物質を含む有機発光素子が提供される。
【０００８】
他の実施形態によれば、ソース電極、ドレイン電極及び活性層を含んだ薄膜トランジスタ、並びに有機発光素子を含み、有機発光素子の第１電極が、薄膜トランジスタのソース電極及びドレイン電極のうちいずれか一つと電気的に連結された電子装置が提供される。
【発明の効果】
【０００９】
本発明による有機発光素子は、長寿命を有する。
【図面の簡単な説明】
【００１０】
【図１】一実施形態による有機発光素子の構造を概略的に示した図面である。
【発明を実施するための形態】
【００１１】
本発明は、多様な変換を加えることができ、さまざまな実施形態を有することができるが、特定の実施形態を図面に例示し、詳細な説明によって詳細に説明する。本発明の効果、特徴、及びそれらを達成する方法は、図面と共に詳細に説明する実施形態を参照すれば、明確になるであろう。しかし、本発明は、以下で開示される実施形態に限定されるものではなく、多様な形態にも実現される。
【００１２】
以下、添付された図面を参照し、本発明の実施形態について詳細に説明するが、図面を参照して説明するとき、同一であるか、あるいは対応する構成要素は、同一図面符号を付し、それに係わる重複説明は、省略する。
【００１３】
以下の実施形態において、単数の表現は、文脈上明白に異なって意味しない限り、複数の表現を含む。
【００１４】
以下の実施形態において、「含む」または「有する」というような用語は、明細書上に記載された特徴または構成要素が存在するということを意味するものであり、１以上の他の特徴または構成要素が付加される可能性を事前に排除するものではない。
【００１５】
以下の実施形態において、膜、領域、構成要素などの部分が、他の部分の上または上部にあるとするとき、他の部分の真上にある場合だけではなく、その中間に、他の膜、領域、構成要素などが介在されている場合も含む。
【００１６】
図面においては、説明の便宜のために、構成要素がその大きさが誇張されていたり縮小されていたりする。例えば、図面に示された各構成の大きさ及び厚みは、説明の便宜のために任意に示されているので、本発明は、必ずしも図示されたところに限定されるものではない。
【００１７】
本明細書において、「有機層」は、有機発光素子において、アノード極とカソード極との間に介在された単一及び／または複数の全ての層を示す用語である。「有機層」の層に含まれた物質は、有機物に限定されるものではない。
【００１８】
本明細書において、「（有機層が）化学式Ｎで表示される化合物を含む」（Ｎは、任意の整数）というのは、「（有機層が）化学式Ｎの範疇に属する１種の化合物、または化学式Ｎの範疇に属する互いに異なる２種以上の化合物を含んでもよい」とも解釈される。
【００１９】
本明細書において、「最低励起三重項エネルギーレベル」は、トルエンと各化合物との混合物（トルエン３ｍＬに、各化合物１ｍｇを溶解させる）を石英セルに入れた後、液体窒素（７７Ｋ）に入れ、フォトルミネセンス測定機器を利用し、フォトルミネセンススペクトルを測定し、それを一般常温フォトルミネセンススペクトルと比較し、低温でのみ観測されるピークだけを分析し、そこからＴ１エネルギーレベルを計算したものである。
【００２０】
本明細書において、「電子輸送性モイエティ」は、シアノ基、ホスフィンオキシド基、スルホンオキシド基、スルホネート基及び／またはπ電子欠乏性含窒素環式基を含んでもよい。
【００２１】
本明細書において、「π電子欠乏性含窒素環式基」は、少なくとも１つの＊−Ｎ＝＊’モイエティを有する環式基を含む基を意味し、例えば、ピリジン、ピリミジン、トリアジンなどであってもよい。
【００２２】
本明細書において、Ｃ１−Ｃ６０アルキル基は、炭素数１〜６０の線状または分枝状の脂肪族炭化水素一価基を意味し、具体的な例には、メチル基、エチル基、プロピル基、イソブチル基、ｓｅｃ−ブチル基、ｔｅｒ−ブチル基、ペンチル基、ｉｓｏ−アミル基、ヘキシル基などが含まれる。本明細書において、Ｃ１−Ｃ６０アルキレン基は、Ｃ１−Ｃ６０アルキル基と同一構造を有する二価基を意味する。
【００２３】
本明細書において、Ｃ２−Ｃ６０アルケニル基は、Ｃ２−Ｃ６０アルキル基の中間または末端に、１以上の炭素二重結合を含む炭化水素基を意味し、その具体的な例には、エテニル基、プロぺニル基、ブテニル基などが含まれる。本明細書において、Ｃ２−Ｃ６０アルケニレン基は、Ｃ２−Ｃ６０アルケニル基と同一構造を有する二価基を意味する。
【００２４】
本明細書において、Ｃ２−Ｃ６０アルキニル基は、Ｃ２−Ｃ６０アルキル基の中間または末端に、１以上の炭素三重結合を含む炭化水素基を意味し、その具体的な例には、エチニル基、プロピニル基などが含まれる。本明細書において、Ｃ２−Ｃ６０アルキニレン基は、Ｃ２−Ｃ６０アルキニル基と同一構造を有する二価基を意味する。
【００２５】
本明細書において、Ｃ１−Ｃ６０アルコキシ基は、−ＯＡ１０１（ここで、Ａ１０１は、Ｃ１−Ｃ６０アルキル基である）の化学式を有する一価基を意味し、その具体的な例には、メトキシ基、エトキシ基、イソプロピルオキシ基などが含まれる。
【００２６】
本明細書において、Ｃ３−Ｃ１０シクロアルキル基は、Ｃ３−Ｃ１０一価飽和炭化水素単環式基を意味し、その具体例には、シクロプロピル基、シクロブチル基、シクロペンチル基、シクロヘキシル基、シクロヘプチル基などが含まれる。本明細書において、Ｃ３−Ｃ１０シクロアルキレン基は、Ｃ３−Ｃ１０シクロアルキル基と同一構造を有する二価基を意味する。
【００２７】
本明細書において、Ｃ１−Ｃ１０ヘテロシクロアルキル基は、Ｎ、Ｏ、Ｓｉ、Ｐ及びＳのうちから選択された少なくとも１つのヘテロ原子を環形成原子として含むＣ１−Ｃ１０一価単環式基を意味し、その具体例には、１，２，３，４−オキサトリアゾリジニル基（１，２，３，４−ｏｘａｔｒｉａｚｏｌｉｄｉｎｙｌ）、テトラヒドロフラニル基、テトラヒドロチオフェニル基などが含まれる。本明細書において、Ｃ１−Ｃ１０ヘテロシクロアルキレン基は、Ｃ１−Ｃ１０ヘテロシクロアルキル基と同一構造を有する二価基を意味する。
【００２８】
本明細書において、Ｃ３−Ｃ１０シクロアルケニル基は、Ｃ３−Ｃ１０一価単環式基であり、環内に少なくとも１つの二重結合を有するが、芳香族性（ａｒｏｍａｔｉｃｉｔｙ）を有さない基を意味し、その具体例には、シクロペンテニル基、シクロヘキセニル基、シクロヘプテニル基などが含まれる。本明細書において、Ｃ３−Ｃ１０シクロアルケニレン基は、Ｃ３−Ｃ１０シクロアルケニル基と同一構造を有する二価基を意味する。
【００２９】
本明細書において、Ｃ１−Ｃ１０ヘテロシクロアルケニル基は、Ｎ、Ｏ、Ｓｉ、Ｐ及びＳのうちから選択された少なくとも１つのヘテロ原子を環形成原子として含むＣ１−Ｃ１０一価単環式基であり、環内に少なくとも１つの二重結合を有する。Ｃ１−Ｃ１０ヘテロシクロアルケニル基の具体例には、４，５−ジヒドロ−１，２，３，４−オキサトリアゾリル基、２，３−ジヒドロフラニル基、２，３−ジヒドロチオフェニル基などが含まれる。本明細書において、Ｃ１−Ｃ１０ヘテロシクロアルケニレン基は、Ｃ１−Ｃ１０ヘテロシクロアルケニル基と同一構造を有する二価基を意味する。
【００３０】
本明細書において、Ｃ６−Ｃ６０アリール基は、Ｃ６−Ｃ６０炭素環式芳香族系を有する一価基を意味し、Ｃ６−Ｃ６０アリーレン基は、Ｃ６−Ｃ６０炭素環式芳香族系を有する二価基を意味する。Ｃ６−Ｃ６０アリール基の具体例には、フェニル基、ナフチル基、アントラセニル基、フェナントレニル基、ピレニル基、クリセニル基などを含まれる。Ｃ６−Ｃ６０アリール基及びＣ６−Ｃ６０アリーレン基が２以上の環を含む場合、２以上の環は、互いに縮合される。
【００３１】
本明細書において、Ｃ１−Ｃ６０ヘテロアリール基は、Ｎ、Ｏ、Ｓｉ、Ｐ及びＳのうちから選択された少なくとも１つのヘテロ原子を環形成原子として含み、Ｃ１−Ｃ６０ヘテロ環式芳香族系を有する一価基を意味し、Ｃ１−Ｃ６０ヘテロアリーレン基は、Ｎ、Ｏ、Ｓｉ、Ｐ及びＳのうちから選択された少なくとも１つのヘテロ原子を環形成原子として含み、Ｃ１−Ｃ６０ヘテロ環式芳香族系を有する二価基を意味する。Ｃ１−Ｃ６０ヘテロアリール基の具体例には、ピリジニル基、ピリミジニル基、ピラジニル基、ピリダジニル基、トリアジニル基、キノリニル基、イソキノリニル基などが含まれる。Ｃ１−Ｃ６０ヘテロアリール基及びＣ１−Ｃ６０ヘテロアリーレン基が２以上の環を含む場合、２以上の環は、互いに縮合される。
【００３２】
本明細書において、Ｃ６−Ｃ６０アリールオキシ基は、−ＯＡ１０２（ここで、Ａ１０２は、Ｃ６−Ｃ６０アリール基である）を示し、Ｃ６−Ｃ６０アリールチオ基は、−ＳＡ１０３（ここで、Ａ１０３は、Ｃ６−Ｃ６０アリール基である）を示す。
【００３３】
本明細書において、Ｃ１−Ｃ６０ヘテロアリールオキシ基は、−ＯＡ１０４（ここで、Ａ１０４は、Ｃ１−Ｃ６０ヘテロアリール基である）を示し、Ｃ１−Ｃ６０ヘテロアリールチオ基は、−ＳＡ１０５（ここで、Ａ１０５は、Ｃ１−Ｃ６０ヘテロアリール基である）を示す。
【００３４】
本明細書において、一価非芳香族縮合多環基は、２以上の環が互いに縮合されており、環形成原子として炭素のみを含み、分子全体が非芳香族性（ｎｏｎ−ａｒｏｍａｔｉｃｉｔｙ）を有する一価基（例えば、炭素数８〜６０である）を意味する。一価非芳香族縮合多環基の具体例には、フルオレニル基などが含まれる。本明細書において、二価非芳香族縮合多環基は、一価非芳香族縮合多環基と同一構造を有する二価基を意味する。
【００３５】
本明細書において、一価非芳香族ヘテロ縮合多環基は、２以上の環が互いに縮合されており、環形成原子として炭素以外に、Ｎ、Ｏ、Ｓｉ、Ｐ及びＳのうちから選択された少なくとも１つのヘテロ原子を含み、分子全体が非芳香族性を有する一価基（例えば、炭素数１〜６０である）を意味する。一価非芳香族ヘテロ縮合多環基の具体例には、カルバゾリル基などが含まれる。本明細書において、二価非芳香族ヘテロ縮合多環基は、一価非芳香族ヘテロ縮合多環基と同一構造を有する二価基を意味する。
【００３６】
本明細書において、Ｃ５−Ｃ６０炭素環式基とは、環形成原子として炭素のみを含む炭素数５〜６０の単環式基または多環式基を意味する。Ｃ５−Ｃ６０炭素環式基は、芳香族炭素環式基または非芳香族炭素環式基であってもよい。Ｃ５−Ｃ６０炭素環式基は、ベンゼンのような環、フェニル基のような一価基、またはフェニレン基のような二価基であってもよい。または、Ｃ５−Ｃ６０炭素環式基に連結された置換基の個数により、Ｃ５−Ｃ６０炭素環式基は、三価基または四価基であってもよいというように、多様な変形が可能である。
【００３７】
本明細書において、Ｃ１−Ｃ６０ヘテロ環式基とは、Ｃ５−Ｃ６０炭素環式基と同一構造を有するが、環形成原子として、炭素（炭素数は、１〜６０であってもよい）以外に、Ｎ、Ｏ、Ｓｉ、Ｐ及びＳのうちから選択された少なくとも１つのヘテロ原子を含む基を意味する。
【００３８】
本明細書において、置換されたＣ５−Ｃ６０炭素環式基、置換されたＣ１−Ｃ６０ヘテロ環式基、置換されたＣ３−Ｃ１０シクロアルキレン基、置換されたＣ１−Ｃ１０ヘテロシクロアルキレン基、置換されたＣ３−Ｃ１０シクロアルケニレン基、置換されたＣ１−Ｃ１０ヘテロシクロアルケニレン基、置換されたＣ６−Ｃ６０アリーレン基、置換されたＣ１−Ｃ６０ヘテロアリーレン基、置換された二価非芳香族縮合多環基、置換された二価非芳香族ヘテロ縮合多環基、置換されたＣ１−Ｃ６０アルキル基、置換されたＣ２−Ｃ６０アルケニル基、置換されたＣ２−Ｃ６０アルキニル基、置換されたＣ１−Ｃ６０アルコキシ基、置換されたＣ３−Ｃ１０シクロアルキル基、置換されたＣ１−Ｃ１０ヘテロシクロアルキル基、置換されたＣ３−Ｃ１０シクロアルケニル基、置換されたＣ１−Ｃ１０ヘテロシクロアルケニル基、置換されたＣ６−Ｃ６０アリール基、置換されたＣ６−Ｃ６０アリールオキシ基、置換されたＣ６−Ｃ６０アリールチオ基、置換されたＣ１−Ｃ６０ヘテロアリール基、置換されたＣ１−Ｃ６０ヘテロアリールオキシ基、置換されたＣ１−Ｃ６０ヘテロアリールチオ基、置換された一価非芳香族縮合多環基、及び置換された一価非芳香族ヘテロ縮合多環基の置換基のうち少なくとも一つは、
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ６０アルキル基、Ｃ２−Ｃ６０アルケニル基、Ｃ２−Ｃ６０アルキニル基及びＣ１−Ｃ６０アルコキシ基；
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、Ｃ１−Ｃ６０ヘテロアリールオキシ基、Ｃ１−Ｃ６０ヘテロアリールチオ基、一価非芳香族縮合多環基、一価非芳香族ヘテロ縮合多環基、−Ｓｉ（Ｑ１１）（Ｑ１２）（Ｑ１３）、−Ｎ（Ｑ１１）（Ｑ１２）、−Ｂ（Ｑ１１）（Ｑ１２）、−Ｃ（＝Ｏ）（Ｑ１１）、−Ｓ（＝Ｏ）２（Ｑ１１）及び−Ｐ（＝Ｏ）（Ｑ１１）（Ｑ１２）のうちから選択された少なくとも一つで置換された、Ｃ１−Ｃ６０アルキル基、Ｃ２−Ｃ６０アルケニル基、Ｃ２−Ｃ６０アルキニル基及びＣ１−Ｃ６０アルコキシ基；
Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、Ｃ１−Ｃ６０ヘテロアリールオキシ基、Ｃ１−Ｃ６０ヘテロアリールチオ基、一価非芳香族縮合多環基及び一価非芳香族ヘテロ縮合多環基；
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ６０アルキル基、Ｃ２−Ｃ６０アルケニル基、Ｃ２−Ｃ６０アルキニル基、Ｃ１−Ｃ６０アルコキシ基、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、Ｃ１−Ｃ６０ヘテロアリールオキシ基、Ｃ１−Ｃ６０ヘテロアリールチオ基、一価非芳香族縮合多環基、一価非芳香族ヘテロ縮合多環基、−Ｓｉ（Ｑ２１）（Ｑ２２）（Ｑ２３）、−Ｎ（Ｑ２１）（Ｑ２２）、−Ｂ（Ｑ２１）（Ｑ２２）、−Ｃ（＝Ｏ）（Ｑ２１）、−Ｓ（＝Ｏ）２（Ｑ２１）及び−Ｐ（＝Ｏ）（Ｑ２１）（Ｑ２２）のうちから選択された少なくとも一つで置換された、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ６−Ｃ６０アリールオキシ基、Ｃ６−Ｃ６０アリールチオ基、Ｃ１−Ｃ６０ヘテロアリール基、Ｃ１−Ｃ６０ヘテロアリールオキシ基、Ｃ１−Ｃ６０ヘテロアリールチオ基、一価非芳香族縮合多環基及び一価非芳香族ヘテロ縮合多環基；並びに
−Ｓｉ（Ｑ３１）（Ｑ３２）（Ｑ３３）、−Ｎ（Ｑ３１）（Ｑ３２）、−Ｂ（Ｑ３１）（Ｑ３２）、−Ｃ（＝Ｏ）（Ｑ３１）、−Ｓ（＝Ｏ）２（Ｑ３１）及び−Ｐ（＝Ｏ）（Ｑ３１）（Ｑ３２）；のうちから選択され、
Ｑ１１〜Ｑ１３、Ｑ２１〜Ｑ２３、及びＱ３１〜Ｑ３３は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ６０アルキル基、Ｃ２−Ｃ６０アルケニル基、Ｃ２−Ｃ６０アルキニル基、Ｃ１−Ｃ６０アルコキシ基、Ｃ３−Ｃ１０シクロアルキル基、Ｃ１−Ｃ１０ヘテロシクロアルキル基、Ｃ３−Ｃ１０シクロアルケニル基、Ｃ１−Ｃ１０ヘテロシクロアルケニル基、Ｃ６−Ｃ６０アリール基、Ｃ１−Ｃ６０ヘテロアリール基、Ｃ１−Ｃ６０ヘテロアリールオキシ基、Ｃ１−Ｃ６０ヘテロアリールチオ基、一価非芳香族縮合多環基、一価非芳香族ヘテロ縮合多環基、重水素・−Ｆ及びシアノ基のうちから選択された少なくとも一つで置換されたＣ１−Ｃ６０アルキル基、重水素・−Ｆ及びシアノ基のうちから選択された少なくとも一つで置換されたＣ６−Ｃ６０アリール基、ビフェニリル基及びターフェニリル基のうちからも選択される。
【００３９】
本明細書において、「Ｐｈ」は、フェニル基を意味し、「Ｍｅ」は、メチル基を意味し、「Ｅｔ」は、エチル基を意味し、「ｔｅｒ−Ｂｕ」または「Ｂｕｔ」は、ｔｅｒｔ−ブチル基を意味し、「ＯＭｅ」は、メトキシ基を意味する。
【００４０】
本明細書において、「ビフェニリル基」は、「フェニル基で置換されたフェニル基」を意味する。「ビフェニリル基」は、置換基が「Ｃ６−Ｃ６０アリール基」である「置換されたフェニル基」に属する。
【００４１】
本明細書において、「ターフェニリル基」は、「ビフェニリル基で置換されたフェニル基」を意味する。「ターフェニリル基」は、置換基が「Ｃ６−Ｃ６０アリール基で置換されたＣ６−Ｃ６０アリール基」である「置換されたフェニル基」に属する。
【００４２】
本明細書において、＊及び＊’は、他の定義がない限り、当該化学式において、隣接原子との結合サイトを意味する。
【００４３】
以下、添付された図面を参照し、本発明の実施形態について説明する。
【００４４】
図１は、発明の一実施形態による有機発光素子１０の概略的な断面図である。
【００４５】
図１を参照すれば、有機発光素子１０は、アノード１１０、カソード１９０、及びアノード１１０とカソード１９０との間に介在され、発光領域（ｅｍｉｓｓｉｏｎ  ｒｅｇｉｏｎ）（図示せず）を含む有機層１５０を含み、発光領域が、第１発光層１３１、第２発光層１３２及び第１励起子消光層１３３を含み、第１発光層１３１は、第１ホスト及び第１ドーパントを含み、第２発光層１３２は、第２ホスト及び第２ドーパントを含み、第１励起子消光層１３３は、第１発光層１３１と第２発光層１３２との間に介在され、第１消光物質を含む有機発光素子が提供される。
【００４６】
有機発光素子は、発光領域内に、第１消光物質を含む第１励起子消光層を含むことにより、前述の第１発光層内及び第２発光層内の三重項濃度が適切に調節される。前述の第１発光層及び第２発光層に存在する三重項は、発光に寄与せず、三重項同士反応して消滅するか、あるいは電荷、または電荷を帯びる有機分子と反応するというように、さまざまなメカニズムを介して、ホスト及びドーパントを劣化させることができる。従って、有機発光素子は、第１励起子消光層を含むことにより、前述の第１発光層内及び第２発光層内に存在する三重項が一部消光されて適正濃度に維持されるので、有機発光素子の発光効率及び寿命特性が向上する。
【００４７】
また、第１励起子消光層が、発光領域内において、第１発光層及び第２発光層と別途層として存在することにより、励起子が再構築される領域（以下、「励起子再構築領域」とする）と、励起子が消光される領域とを分離することができる。従って、第１励起子消光層を含むことにより、有機発光素子の発光効率の低下が防止され、寿命が延長される。
【００４８】
アノード１１０は、例えば、基板上部に、アノード用物質を蒸着法またはスパッタリング法などを利用して提供することによっても形成される。アノード１１０は、正孔注入が容易であるように、高い仕事関数を有する物質のうちからも選択される。
【００４９】
アノード１１０は、反射型電極、半透過型電極または透過型電極であってもよい。透過型電極を形成するために、アノード用物質は、酸化インジウムスズ（ＩＴＯ）、酸化インジウム亜鉛（ＩＺＯ）、酸化スズ（ＳｎＯ２）、酸化亜鉛（ＺｎＯ）、及びその任意の組み合わせのうちからも選択されてもよく、それらに限定されるものではない。または、半透過型電極または反射型電極を形成するために、アノード用物質は、マグネシウム（Ｍｇ）、銀（Ａｇ）、アルミニウム（Ａｌ）、アルミニウム−リチウム（Ａｌ−Ｌｉ）、カルシウム（Ｃａ）、マグネシウム−インジウム（Ｍｇ−Ｉｎ）、マグネシウム−銀（Ｍｇ−Ａｇ）、及びその任意の組み合わせのうちからも選択されてもよく、それらに限定されるものではない。
【００５０】
アノード１１０は、単一の層である単層構造、または複層を有する多層構造を有することができる。例えば、アノード１１０は、ＩＴＯ／Ａｇ／ＩＴＯの３層構造を有することができるが、それに限定されるものではない。
【００５１】
アノード１１０上部には、有機層１５０が配置されている。前述のように、有機層１５０は、発光領域を含み、発光領域は、第１発光層１３１、第２発光層１３２及び第１励起子消光層１３３を含む。有機層１５０は、アノード１１０と第１発光層１３１との間に介在された正孔輸送領域（ｈｏｌｅ  ｔｒａｎｓｐｏｒｔ  ｒｅｇｉｏｎ）（図示せず）、及び第２発光層１３２とカソード１９０との間に介在された電子輸送領域（ｅｌｅｃｔｒｏｎ  ｔｒａｎｓｐｏｒｔ  ｒｅｇｉｏｎ）（図示せず）をさらに含んでもよい。
【００５２】
正孔輸送領域は、ｉ）単一の物質からなる単一の層からなる単層構造、ｉｉ）複数の互いに異なる物質からなる単一の層からなる単層構造、あるいはｉｉｉ）複数の互いに異なる物質からなる複層を有する多層構造を有することができる。
正孔輸送領域は、正孔注入層（ＨＩＬ）、正孔輸送層（ＨＴＬ）、発光補助層及び電子阻止層（ＥＢＬ）のうちから選択された少なくとも１層を含んでもよい。
【００５３】
例えば、正孔輸送領域は、複数の互いに異なる物質からなる単一の層からなる単層構造を有するか、あるいはアノード１１０から順に積層された、正孔注入層／正孔輸送層、正孔注入層／正孔輸送層／発光補助層、正孔注入層／発光補助層、正孔輸送層／発光補助層または正孔注入層／正孔輸送層／電子阻止層の多層構造を有することができるが、それらに限定されるものではない。
【００５４】
正孔輸送領域は、ｍ−ＭＴＤＡＴＡ、ＴＤＡＴＡ、２−ＴＮＡＴＡ、ＮＰＢ（ＮＰＤ）、β−ＮＰＢ、ＴＰＤ、ｓｐｉｒｏ−ＴＰＤ、ｓｐｉｒｏ−ＮＰＢ、メチル化された−ＮＰＢ、ＴＡＰＣ、ＨＭＴＰＤ、４，４’，４”−トリス（Ｎ−カルバゾリル）トリフェニルアミン（ＴＣＴＡ）、ポリアニリン／ドデシルベンゼンスルホン酸（Ｐａｎｉ／ＤＢＳＡ）、ポリ（３，４−エチレンジオキシチオフェン）／ポリ（４−スチレンスルホネート）（ＰＥＤＯＴ／ＰＳＳ）、ポリアニリン／カンファースルホン酸（Ｐａｎｉ／ＣＳＡ）、ポリアニリン／ポリ（４−スチレンスルホネート）（ＰＡＮＩ／ＰＳＳ）、ＣｚＳｉ、ＴＣＴＡ、下記化学式２０１で表示される化合物、及び下記化学式２０２で表示される化合物のうちから選択された少なくとも一つを含んでもよい。
【化１】
2020136256.tif 000003
2020136256.tif 000004
2020136256.tif 000005
2020136256.tif 000006
【化２】
2020136256.tif 000007
．．．  ２０１
【化３】
2020136256.tif 000008
．．．  ２０２
【００５５】
化学式２０１及び２０２で、
Ｌ２０１〜Ｌ２０４は、互いに独立して、置換もしくは無置換のＣ３−Ｃ１０シクロアルキレン基、置換もしくは無置換のＣ１−Ｃ１０ヘテロシクロアルキレン基、置換もしくは無置換のＣ３−Ｃ１０シクロアルケニレン基、置換もしくは無置換のＣ１−Ｃ１０ヘテロシクロアルケニレン基、置換もしくは無置換のＣ６−Ｃ６０アリーレン基、置換もしくは無置換のＣ１−Ｃ６０ヘテロアリーレン基、置換もしくは無置換の二価非芳香族縮合多環基（ｎｏｎ−ａｒｏｍａｔｉｃ  ｃｏｎｄｅｎｓｅｄ  ｐｏｌｙｃｙｃｌｉｃ  ｇｒｏｕｐ）、及び置換もしくは無置換の二価非芳香族ヘテロ縮合多環基（ｎｏｎ−ａｒｏｍａｔｉｃ  ｃｏｎｄｅｎｓｅｄ  ｈｅｔｅｒｏｐｏｌｙｃｙｃｌｉｃ  ｇｒｏｕｐ）のうちから選択され、
Ｌ２０５は、＊−Ｏ−＊’、＊−Ｓ−＊’、＊−Ｎ（Ｑ２０１）−＊’、置換もしくは無置換のＣ１−Ｃ２０アルキレン基、置換もしくは無置換のＣ２−Ｃ２０アルケニレン基、置換もしくは無置換のＣ３−Ｃ１０シクロアルキレン基、置換もしくは無置換のＣ１−Ｃ１０ヘテロシクロアルキレン基、置換もしくは無置換のＣ３−Ｃ１０シクロアルケニレン基、置換もしくは無置換のＣ１−Ｃ１０ヘテロシクロアルケニレン基、置換もしくは無置換のＣ６−Ｃ６０アリーレン基、置換もしくは無置換のＣ１−Ｃ６０ヘテロアリーレン基、置換もしくは無置換の二価非芳香族縮合多環基、及び置換もしくは無置換の二価非芳香族ヘテロ縮合多環基のうちから選択され、
ｘａ１〜ｘａ４は、互いに独立して、０〜３の整数のうちから選択され、
ｘａ５は、１〜１０の整数のうちから選択され、
Ｒ２０１〜Ｒ２０４、及びＱ２０１は、互いに独立して、置換もしくは無置換のＣ３−Ｃ１０シクロアルキル基、置換もしくは無置換のＣ１−Ｃ１０ヘテロシクロアルキル基、置換もしくは無置換のＣ３−Ｃ１０シクロアルケニル基、置換もしくは無置換のＣ１−Ｃ１０ヘテロシクロアルケニル基、置換もしくは無置換のＣ６−Ｃ６０アリール基、置換もしくは無置換のＣ６−Ｃ６０アリールオキシ基、置換もしくは無置換のＣ６−Ｃ６０アリールチオ基、置換もしくは無置換のＣ１−Ｃ６０ヘテロアリール基、置換もしくは無置換の一価非芳香族縮合多環基、及び置換もしくは無置換の一価非芳香族ヘテロ縮合多環基のうちからも選択されてもよい。
【００５６】
例えば、化学式２０２で、Ｒ２０１とＲ２０２は、単結合、ジメチル−メチレン基またはジフェニル−メチレン基を介して任意で互いに連結されてもよく、Ｒ２０３とＲ２０４は、単結合、ジメチル−メチレン基またはジフェニル−メチレン基を介して任意で互いに連結されてもよい。
【００５７】
一実施形態によれば、化学式２０１及び２０２で、
Ｌ２０１〜Ｌ２０５は、互いに独立して、
フェニレン基、ペンタレニレン基、インデニレン基、ナフチレン基、アズレニレン基、ヘプタレニレン基、インダセニレン基、アセナフチレン基、フルオレニレン基、スピロ−ビフルオレニレン基、ベンゾフルオレニレン基、ジベンゾフルオレニレン基、フェナレニレン基、フェナントレニレン基、アントラセニレン基、フルオランテニレン基、トリフェニレニレン基、ピイレニレン基、クリセニレン基、ナフタセニレン基、ピセニレン基、ペリレニレン基、ペンタフェニレン基、ヘキサセニレン基、ペンタセニレン基、ルビセニレン基、コロネニレン基、オバレニレン基、チオフェニレン基、フラニレン基、カルバゾリレン基、インドリレン基、イソインドリレン基、ベンゾフラニレン基、ベンゾチオフェニレン基、ジベンゾフラニレン基、ジベンゾチオフェニレン基、ベンゾカルバゾリレン基、ジベンゾカルバゾリレン基、ジベンゾシロリレン基及びピリジニレンギ；並びに
重水素（−Ｄ）、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、シクロペンチル基、シクロヘキシル基、シクロヘプチル基、シクロペンテニル基、シクロヘキセニル基、フェニル基、ビフェニリル基、ターフェニリル基、Ｃ１−Ｃ１０アルキル基で置換されたフェニル基、−Ｆで置換されたフェニル基、ペンタレニル基、インデニル基、ナフチル基、アズレニル基、ヘプタレニル基、インダセニル基、アセナフチル基、フルオレニル基、スピロ−ビフルオレニル基、ベンゾフルオレニル基、ジベンゾフルオレニル基、フェナレニル基、フェナントレニル基、アントラセニル基、フルオランテニル基、トリフェニレニル基、ピレニル基、クリセニル基、ナフタセニル基、ピセニル基、ペリレニル基、ペンタフェニル基、ヘキサセニル基、ペンタセニル基、ルビセニル基、コロネニル基、オバレニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基、−Ｓｉ（Ｑ３１）（Ｑ３２）（Ｑ３３）、及び−Ｎ（Ｑ３１）（Ｑ３２）のうちから選択された少なくとも一つで置換された、フェニレン基、ペンタレニレン基、インデニレン基、ナフチレン基、アズレニレン基、ヘプタレニレン基、インダセニレン基、アセナフチレン基、フルオレニレン基、スピロ−ビフルオレニレン基、ベンゾフルオレニレン基、ジベンゾフルオレニレン基、フェナレニレン基、フェナントレニレン基、アントラセニレン基、フルオランテニレン基、トリフェニレニレン基、ピレニレン基、クリセニレン基、ナフタセニレン基、ピセニレン基、ペリレニレン基、ペンタフェニレン基、ヘキサセニレン基、ペンタセニレン基、ルビセニレン基、コロネニレン基、オバレニレン基、チオフェニレン基、フラニレン基、カルバゾリレン基、インドリレン基、イソインドリレン基、ベンゾフラニレン基、ベンゾチオフェニレン基、ジベンゾフラニレン基、ジベンゾチオフェニレン基、ベンゾカルバゾリレン基、ジベンゾカルバゾリレン基、ジベンゾシロリレン基及びピリジニレン基；のうちから選択され、
Ｑ３１〜Ｑ３３は、互いに独立して、Ｃ１−Ｃ１０アルキル基、Ｃ１−Ｃ１０アルコキシ基、フェニル基、ビフェニリル基、ターフェニリル基及びナフチル基のうちからも選択されてもよい。
【００５８】
他の実施形態によれば、ｘａ１〜ｘａ４は、互いに独立して、０、１または２であってもよい。
【００５９】
さらに他の実施形態によれば、ｘａ５は、１、２、３または４でもあってもよい。
【００６０】
さらに他の実施例によれば、Ｒ２０１〜Ｒ２０４、及びＱ２０１は、互いに独立して、フェニル基、ビフェニリル基、ターフェニリル基、ペンタレニル基、インデニル基、ナフチル基、アズレニル基、ヘプタレニル基、インダセニル基、アセナフチル基、フルオレニル基、スピロ−ビフルオレニル基、ベンゾフルオレニル基、ジベンゾフルオレニル基、フェナレニル基、フェナントレニル基、アントラセニル基、フルオランテニル基、トリフェニレニル基、ピレニル基、クリセニル基、ナフタセニル基、ピセニル基、ペリレニル基、ペンタフェニル基、ヘキサセニル基、ペンタセニル基、ルビセニル基、コロネニル基、オバレニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基及びピリジニル基；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、シクロペンチル基、シクロヘキシル基、シクロヘプチル基、シクロペンテニル基、シクロヘキセニル基、フェニル基、ビフェニリル基、ターフェニリル基、Ｃ１−Ｃ１０アルキル基で置換されたフェニル基、−Ｆで置換されたフェニル基、ペンタレニル基、インデニル基、ナフチル基、アズレニル基、ヘプタレニル基、インダセニル基、アセナフチル基、フルオレニル基、スピロ−ビフルオレニル基、ベンゾフルオレニル基、ジベンゾフルオレニル基、フェナレニル基、フェナントレニル基、アントラセニル基、フルオランテニル基、トリフェニレニル基、ピレニル基、クリセニル基、ナフタセニル基、ピセニル基、ペリレニル基、ペンタフェニル基、ヘキサセニル基、ペンタセニル基、ルビセニル基、コロネニル基、オバレニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基、−Ｓｉ（Ｑ３１）（Ｑ３２）（Ｑ３３）、及び−Ｎ（Ｑ３１）（Ｑ３２）のうちから選択された少なくとも一つで置換された、フェニル基、ビフェニリル基、ターフェニリル基、ペンタレニル基、インデニル基、ナフチル基、アズレニル基、ヘプタレニル基、インダセニル基、アセナフチル基、フルオレニル基、スピロ−ビフルオレニル基、ベンゾフルオレニル基、ジベンゾフルオレニル基、フェナレニル基、フェナントレニル基、アントラセニル基、フルオランテニル基、トリフェニレニル基、ピレニル基、クリセニル基、ナフタセニル基、ピセニル基、ペリレニル基、ペンタフェニル基、ヘキサセニル基、ペンタセニル基、ルビセニル基、コロネニル基、オバレニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基及びピリジニル基；のうちからも選択されてもよく、
Ｑ３１〜Ｑ３３についての説明は、本明細書に記載されたところを参照する。
【００６１】
さらに他の実施形態によれば、化学式２０１で、Ｒ２０１〜Ｒ２０３のうち少なくとも一つは、互いに独立して、
フルオレニル基、スピロ−ビフルオレニル基、カルバゾリル基、ジベンゾフラニル基及びジベンゾチオフェニル基；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、シクロペンチル基、シクロヘキシル基、シクロヘプチル基、シクロペンテニル基、シクロヘキセニル基、フェニル基、ビフェニリル基、ターフェニリル基、Ｃ１−Ｃ１０アルキル基で置換されたフェニル基、−Ｆで置換されたフェニル基、ナフチル基、フルオレニル基、スピロ−ビフルオレニル基、カルバゾリル基、ジベンゾフラニル基、及びジベンゾチオフェニル基のうちから選択された少なくとも一つで置換された、フルオレニル基、スピロ−ビフルオレニル基、カルバゾリル基、ジベンゾフラニル基及びジベンゾチオフェニル基；のうちからも選択されてもよく、それらに限定されるものではない。
【００６２】
さらに他の実施形態によれば、化学式２０２で、ｉ）Ｒ２０１とＲ２０２は、単結合を介しても互いに連結され、かつ／またはｉｉ）Ｒ２０３とＲ２０４は、単結合を介しても互いに連結される。
【００６３】
さらに他の実施形態によれば、化学式２０２で、Ｒ２０１〜Ｒ２０４のうち少なくとも一つは、
カルバゾリル基；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、シクロペンチル基、シクロヘキシル基、シクロヘプチル基、シクロペンテニル基、シクロヘキセニル基、フェニル基、ビフェニリル基、ターフェニリル基、Ｃ１−Ｃ１０アルキル基で置換されたフェニル基、−Ｆで置換されたフェニル基、ナフチル基、フルオレニル基、スピロ−ビフルオレニル基、カルバゾリル基、ジベンゾフラニル基、及びジベンゾチオフェニル基のうちから選択された少なくとも一つで置換されたカルバゾリル基；のうちからも選択されてもよく、それらに限定されるものではない。
【００６４】
化学式２０１で表示される化合物は、下記化学式２０１Ａでも表示されてもよい。
【化４】
2020136256.tif 000009
．．．  ２０１Ａ
【００６５】
例えば、化学式２０１で表示される化合物は、下記化学式２０１Ａ（１）で表示されてもよく、それに限定されるものではない。
【化５】
2020136256.tif 000010
．．．  ２０１Ａ（１）
【００６６】
さらに他の例として、化学式２０１で表示される化合物は、下記化学式２０１Ａ−１でも表示されてもよく、それに限定されるものではない。
【化６】
2020136256.tif 000011
．．．２０１Ａ−１
【００６７】
一方、化学式２０２で表示される化合物は、下記化学式２０２Ａでも表示されてもよい。
【化７】
2020136256.tif 000012
．．．  ２０２Ａ
【００６８】
さらに他の実施形態によれば、化学式２０２で表示される化合物は、下記化学式２０２Ａ−１でも表示されてもよい。
【化８】
2020136256.tif 000013
．．．  ２０２Ａ−１
【００６９】
化学式２０１Ａ，２０１Ａ（１），２０１Ａ−１，２０２Ａ及び２０２Ａ−１で、
Ｌ２０１〜Ｌ２０３、ｘａ１〜ｘａ３、ｘａ５、及びＲ２０２〜Ｒ２０４についての説明は、本明細書に記載されたところを参照し、
Ｒ２１１及びＲ２１２についての説明は、本明細書において、Ｒ２０３についての説明を参照し、
Ｒ２１３〜Ｒ２１７は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、シクロペンチル基、シクロヘキシル基、シクロヘプチル基、シクロペンテニル基、シクロヘキセニル基、フェニル基、ビフェニリル基、ターフェニリル基、Ｃ１−Ｃ１０アルキル基で置換されたフェニル基、−Ｆで置換されたフェニル基、ペンタレニル基、インデニル基、ナフチル基、アズレニル基、ヘプタレニル基、インダセニル基、アセナフチル基、フルオレニル基、スピロ−ビフルオレニル基、ベンゾフルオレニル基、ジベンゾフルオレニル基、フェナレニル基、フェナントレニル基、アントラセニル基、フルオランテニル基、トリフェニレニル基、ピレニル基、クリセニル基、ナフタセニル基、ピセニル基、ペリレニル基、ペンタフェニル基、ヘキサセニル基、ペンタセニル基、ルビセニル基、コロネニル基、オバレニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基及びピリジニル基のうちからも選択されてもよい。
【００７０】
正孔輸送領域は、下記化合物ＨＴ１〜ＨＴ３９のうちから選択された少なくとも１つの化合物を含んでもよいが、それらに限定されるものではない。
【化９】
2020136256.tif 000014
2020136256.tif 000015
2020136256.tif 000016
2020136256.tif 000017
2020136256.tif 000018
2020136256.tif 000019
2020136256.tif 000020
【００７１】
正孔輸送領域の厚みは、約１０ｎｍ〜約１０００ｎｍ、例えば、約１０ｎｍ〜約１００ｎｍであってもよい。正孔輸送領域が、正孔注入層及び正孔輸送層のうち少なくとも１層を含むならば、正孔注入層の厚みは、約１０ｎｍ〜約９００ｎｍ、例えば、約１０ｎｍ〜約１００ｎｍであり、正孔輸送層の厚みは、約５ｎｍ〜約２００ｎｍ、例えば、約１０ｎｍ〜約１５０ｎｍであってもよい。正孔輸送領域、正孔注入層及び正孔輸送層の厚みが前述のような範囲を満足する場合、実質的な駆動電圧の上昇なしに、満足すべき正孔輸送特性を得ることができる。
【００７２】
正孔輸送領域は、前述のような物質以外に、導電性向上のために、電荷生成物質をさらに含んでもよい。電荷生成物質は、正孔輸送領域内に均一に分散していてもよく、不均一にも分散していてもよい。
【００７３】
電荷生成物質は、例えば、ｐ−ドーパントでもあってもよい。
【００７４】
一実施形態によれば、ｐ−ドーパントのＬＵＭＯ（ｌｏｗｅｓｔ  ｕｎｏｃｃｕｐｉｅｄ  ｍｏｌｅｃｕｌａｒ  ｏｒｂｉｔａｌ）は、−３．５ｅＶ以下であってもよい。
【００７５】
ｐ−ドーパントは、キノン誘導体、金属酸化物及びシアノ基含有化合物のうちから選択された少なくとも一つを含んでもよいが、それらに限定されるものではない。
【００７６】
例えば、ｐ−ドーパントは、テトラシアノキノジメタン（ＴＣＮＱ）及び２，３，５，６−テトラフルオロ−７，７，８，８−テトラシアノキノジメタン（Ｆ４−ＴＣＮＱ）のようなキノン誘導体；
タングステン酸化物及びモリブデン酸化物のような金属酸化物；
１，４，５，８，９，１２−ヘキサアザトリフェニレン−ヘキサカルボニトリル（ＨＡＴ−ＣＮ）；並びに
下記化学式２２１で表示される化合物；のうちから選択された少なくとも一つを含んでもよいが、それらに限定されるものではない。
＜ＨＡＴ−ＣＮ＞
【化１０】
2020136256.tif 000021
＜Ｆ４−ＴＣＮＱ＞
【化１１】
2020136256.tif 000022
【化１２】
2020136256.tif 000023
．．．  ２２１
【００７７】
化学式２２１で、
Ｒ２２１〜Ｒ２２３は、互いに独立して、置換もしくは無置換のＣ３−Ｃ１０シクロアルキル基、置換もしくは無置換のＣ１−Ｃ１０ヘテロシクロアルキル基、置換もしくは無置換のＣ３−Ｃ１０シクロアルケニル基、置換もしくは無置換のＣ１−Ｃ１０ヘテロシクロアルケニル基、置換もしくは無置換のＣ６−Ｃ６０アリール基、置換もしくは無置換のＣ１−Ｃ６０ヘテロアリール基、置換もしくは無置換の一価非芳香族縮合多環基、及び置換もしくは無置換の一価非芳香族ヘテロ縮合多環基のうちから選択されてもよく、Ｒ２２１〜Ｒ２２３のうち少なくとも一つは、シアノ基、−Ｆ、−Ｃｌ、−Ｂｒ、−Ｉ、−Ｆで置換されたＣ１−Ｃ２０アルキル基、−Ｃｌで置換されたＣ１−Ｃ２０アルキル基、−Ｂｒで置換されたＣ１−Ｃ２０アルキル基、及び−Ｉで置換されたＣ１−Ｃ２０アルキル基のうちから選択された少なくとも１つの置換基を有する。
【００７８】
［有機層１５０における、第１発光層１３１、第２発光層１３２及び第１励起子消光層１３３］
有機発光素子１０がフルカラー有機発光素子である場合、第１発光層１３１及び第２発光層１３２は、それぞれ副画素毎に、赤色発光層、緑色発光層及び青色発光層にもパターニングされる。または、第１発光層１３１及び第２発光層１３２は、それぞれ、赤色発光層、緑色発光層及び青色発光層のうちから選択された２以上の層が接触したり離隔されたりして積層された構造を有するか、あるいは赤色光放出物質、緑色光放出物質及び青色光放出物質のうちから選択された２以上の物質が、層区分なしに混合された構造を有し、白色光を放出することができる。
【００７９】
第１発光層１３１は、第１ホスト及び第１ドーパントを含み、第２発光層１３２は、第２ホスト及び第２ドーパントを含む。
【００８０】
第１発光層において、第１ドーパントの含量は、一般的に、第１ホスト約１００重量部に対して、約０．０１重量部〜約５０重量部、例えば、０．１重量部〜３０重量部の範囲でも選択されてもよく、それに限定されるものではない。また、第２発光層において、第２ドーパントの含量は、一般的に、第２ホスト約１００重量部に対して、約０．０１重量部〜約５０重量部、例えば、０．１重量部〜３０重量部の範囲でも選択されてもよく、それに限定されるものではない。
【００８１】
第１発光層の厚み、及び第２発光層の厚みは、それぞれ、約５ｎｍ〜約１００ｎｍ、例えば、約１０ｎｍ〜約６０ｎｍでもあってもよい。第１発光層の厚み、及び第２発光層の厚みが前述のような範囲を満足する場合、実質的な駆動電圧の上昇なしに、優秀な発光特性を示すことができる。
【００８２】
前述の第１ホスト及び第２ホストは、互いに独立して、下記化学式３０１で表示される化合物を含んでもよい。
［Ａｒ３０１］ｘｂ１１−［（Ｌ３０１）ｘｂ１−Ｒ３０１］ｘｂ２１  ．．．  ３０１
【００８３】
化学式３０１で、
Ａｒ３０１は、置換もしくは無置換のＣ５−Ｃ６０炭素環式基、または置換もしくは無置換のＣ１−Ｃ６０ヘテロ環式基であり、
ｘｂ１１は、１、２または３であり、
Ｌ３０１は、置換もしくは無置換のＣ３−Ｃ１０シクロアルキレン基、置換もしくは無置換のＣ１−Ｃ１０ヘテロシクロアルキレン基、置換もしくは無置換のＣ３−Ｃ１０シクロアルケニレン基、置換もしくは無置換のＣ１−Ｃ１０ヘテロシクロアルケニレン基、置換もしくは無置換のＣ６−Ｃ６０アリーレン基、置換もしくは無置換のＣ１−Ｃ６０ヘテロアリーレン基、置換もしくは無置換の二価非芳香族縮合多環基、及び置換もしくは無置換の二価非芳香族ヘテロ縮合多環基のうちから選択され、
ｘｂ１は、０〜５の整数のうちから選択され、
Ｒ３０１は、重水素、−Ｆ、−Ｃｌ、−Ｂｒ、−Ｉ、ヒドロキシル基、シアノ基、ニトロ基、アミジノ基、ヒドラジノ基、ヒドラゾノ基、置換もしくは無置換のＣ１−Ｃ６０アルキル基、置換もしくは無置換のＣ２−Ｃ６０アルケニル基、置換もしくは無置換のＣ２−Ｃ６０アルキニル基、置換もしくは無置換のＣ１−Ｃ６０アルコキシ基、置換もしくは無置換のＣ３−Ｃ１０シクロアルキル基、置換もしくは無置換のＣ１−Ｃ１０ヘテロシクロアルキル基、置換もしくは無置換のＣ３−Ｃ１０シクロアルケニル基、置換もしくは無置換のＣ１−Ｃ１０ヘテロシクロアルケニル基、置換もしくは無置換のＣ６−Ｃ６０アリール基、置換もしくは無置換のＣ６−Ｃ６０アリールオキシ基、置換もしくは無置換のＣ６−Ｃ６０アリールチオ基、置換もしくは無置換のＣ１−Ｃ６０ヘテロアリール基、置換もしくは無置換の一価非芳香族縮合多環基、置換もしくは無置換の一価非芳香族ヘテロ縮合多環基、−Ｓｉ（Ｑ３０１）（Ｑ３０２）（Ｑ３０３）、−Ｎ（Ｑ３０１）（Ｑ３０２）、−Ｂ（Ｑ３０１）（Ｑ３０２）、−Ｃ（＝Ｏ）（Ｑ３０１）、−Ｓ（＝Ｏ）２（Ｑ３０１）、及び−Ｐ（＝Ｏ）（Ｑ３０１）（Ｑ３０２）のうちから選択され、
ｘｂ２１は、１〜５の整数のうちから選択され、
Ｑ３０１〜Ｑ３０３は、互いに独立して、Ｃ１−Ｃ１０アルキル基、Ｃ１−Ｃ１０アルコキシ基、フェニル基、ビフェニリル基、ターフェリニル基、ペンタレニル基、インデニル基、ナフチル基、アズレニル基、ヘプタレニル基、インダセニル基、アセナフチル基、フルオレニル基、スピロ−ビフルオレニル基、ベンゾフルオレニル基、ジベンゾフルオレニル基、フェナレニル基、フェナントレニル基、アントラセニル基、フルオランテニル基、トリフェニレニル基、ピレニル基、クリセニル基、ナフタセニル基、ピセニル基、ペリレニル基、ペンタフェニル基、ヘキサセニル基、ペンタセニル基、ルビセニル基、コロネニル基、オバレニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基及びピリジニル基のうちから選択されてもよい。
【００８４】
一実施形態によれば、化学式３０１でＡｒ３０１は、
ナフタレン基、フルオレン基、スピロ−ビフルオレン基、ベンゾフルオレン基、ジベンゾフルオレン基、フェナレン基、フェナントレン基、アントラセン基、フルオランテン基、トリフェニレン基、ピレン基、クリセン基、ナフタセン基、ピセン基、ペリレン基、ペンタフェン基、インデノアントラセン基、ジベンゾフラン基及びジベンゾチオフェン基；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ターフェニリル基、ナフチル基、−Ｓｉ（Ｑ３１）（Ｑ３２）（Ｑ３３）、−Ｎ（Ｑ３１）（Ｑ３２）、−Ｂ（Ｑ３１）（Ｑ３２）、−Ｃ（＝Ｏ）（Ｑ３１）、−Ｓ（＝Ｏ）２（Ｑ３１）及び−Ｐ（＝Ｏ）（Ｑ３１）（Ｑ３２）のうちから選択された少なくとも一つで置換された、ナフタレン基、フルオレン基、スピロ−ビフルオレン基、ベンゾフルオレン基、ジベンゾフルオレン基、フェナレン基、フェナントレン基、アントラセン基、フルオランテン基、トリフェニレン基、ピレン基、クリセン基、ナフタセン基、ピセン基、ペリレン基、ペンタフェン基、インデノアントラセン基、ジベンゾフラン基及びジベンゾチオフェン基；のうちから選択され、
Ｑ３１〜Ｑ３３は、互いに独立して、Ｃ１−Ｃ１０アルキル基、Ｃ１−Ｃ１０アルコキシ基、フェニル基、ビフェニリル基、ターフェニリル基及びナフチル基のうちからも選択されてもよく、それらに限定されるものではない。
【００８５】
化学式３０１で、ｘｂ１１が２以上である場合、２以上のＡｒ３０１は、単結合を介しても互いに連結される。
【００８６】
一実施形態によれば、化学式３０１で、Ａｒ３０１がカルバゾールであってもよい。例えば、化学式３０１で表示される化合物は、下記化学式３０１−１または３０１−２でも表示されてもよい。
【化１３】
2020136256.tif 000024
．．．  ３０１−１
【化１４】
2020136256.tif 000025
．．．  ３０１−２
【化１５】
2020136256.tif 000026
．．．  ３０１−３
【００８７】
化学式３０１−１〜３０１−３で、
Ａ３０１〜Ａ３０４は、互いに独立して、ベンゼン、ナフタレン、フェナントレン、フルオランテン、トリフェニレン、ピレン、クリセン、ピリジン、ピリミジン、インデン、フルオレン、スピロ−ビフルオレン、ベンゾフルオレン、ジベンゾフルオレン、インドール、カルバゾール、ベンゾカルバゾール、ジベンゾカルバゾール、フラン、ベンゾフラン、ジベンゾフラン、ナフトフラン、ベンゾナフトフラン、ジナフトフラン、チオフェン、ベンゾチオフェン、ジベンゾチオフェン、ナフトチオフェン、ベンゾナフトチオフェン及びジナフトチオフェンのうちから選択される環構造であり、
Ｘ３０１は、Ｏ、ＳまたはＮ−［（Ｌ３０４）ｘｂ４−Ｒ３０４］であり、
Ｒ３１１〜Ｒ３１４は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ターフェニリル基、ナフチル基、ジベンゾフラニル基、ジベンゾチオフェニル基、−ＳＨ、−Ｓ（Ｑ３０１）、−Ｓｉ（Ｑ３０１）（Ｑ３０２）（Ｑ３０３）、−Ｎ（Ｑ３０１）（Ｑ３０２）、−Ｂ（Ｑ３０１）（Ｑ３０２）、−Ｃ（＝Ｏ）（Ｑ３０１）、−Ｓ（＝Ｏ）２（Ｑ３０１）及び−Ｐ（＝Ｏ）（Ｑ３０１）（Ｑ３０２）のうちから選択され、
ｘｂ２１〜ｘｂ２３は、互いに独立して、０、１または２であり、
Ｌ３０１〜Ｌ３０４は、互いに独立して、置換もしくは無置換のＣ３−Ｃ１０シクロアルキレン基、置換もしくは無置換のＣ１−Ｃ１０ヘテロシクロアルキレン基、置換もしくは無置換のＣ３−Ｃ１０シクロアルケニレン基、置換もしくは無置換のＣ１−Ｃ１０ヘテロシクロアルケニレン基、置換もしくは無置換のＣ６−Ｃ６０アリーレン基、置換もしくは無置換のＣ１−Ｃ６０ヘテロアリーレン基、置換もしくは無置換の二価非芳香族縮合多環基、及び置換もしくは無置換の二価非芳香族ヘテロ縮合多環基のうちから選択され、
ｘｂ１〜ｘｂ４は、０〜５の整数のうちから選択され、
ｘｂ５は、１〜５の整数のうちから選択され、
Ｒ３０１〜Ｒ３０４は、互いに独立して、重水素、−Ｆ、−Ｃｌ、−Ｂｒ、−Ｉ、ヒドロキシル基、シアノ基、ニトロ基、アミジノ基、ヒドラジノ基、ヒドラゾノ基、置換もしくは無置換のＣ１−Ｃ６０アルキル基、置換もしくは無置換のＣ２−Ｃ６０アルケニル基、置換もしくは無置換のＣ２−Ｃ６０アルキニル基、置換もしくは無置換のＣ１−Ｃ６０アルコキシ基、置換もしくは無置換のＣ３−Ｃ１０シクロアルキル基、置換もしくは無置換のＣ１−Ｃ１０ヘテロシクロアルキル基、置換もしくは無置換のＣ３−Ｃ１０シクロアルケニル基、置換もしくは無置換のＣ１−Ｃ１０ヘテロシクロアルケニル基、置換もしくは無置換のＣ６−Ｃ６０アリール基、置換もしくは無置換のＣ６−Ｃ６０アリールオキシ基、置換もしくは無置換のＣ６−Ｃ６０アリールチオ基、置換もしくは無置換のＣ１−Ｃ６０ヘテロアリール基、置換もしくは無置換の一価非芳香族縮合多環基、置換もしくは無置換の一価非芳香族ヘテロ縮合多環基、−Ｓｉ（Ｑ３０１）（Ｑ３０２）（Ｑ３０３）、−Ｎ（Ｑ３０１）（Ｑ３０２）、−Ｂ（Ｑ３０１）（Ｑ３０２）、−Ｃ（＝Ｏ）（Ｑ３０１）、−Ｓ（＝Ｏ）２（Ｑ３０１）、及び−Ｐ（＝Ｏ）（Ｑ３０１）（Ｑ３０２）のうちから選択され、
Ｑ３０１〜Ｑ３０３は、互いに独立して、Ｃ１−Ｃ１０アルキル基、Ｃ１−Ｃ１０アルコキシ基、フェニル基、ビフェニリル基、ターフェニリル基、ペンタレニル基、インデニル基、ナフチル基、アズレニル基、ヘプタレニル基、インダセニル基、アセナフチル基、フルオレニル基、スピロ−ビフルオレニル基、ベンゾフルオレニル基、ジベンゾフルオレニル基、フェナレニル基、フェナントレニル基、アントラセニル基、フルオランテニル基、トリフェニレニル基、ピレニル基、クリセニル基、ナフタセニル基、ピセニル基、ペリレニル基、ペンタフェニル基、ヘキサセニル基、ペンタセニル基、ルビセニル基、コロネニル基、オバレニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基及びピリジニル基のうちから選択される。
【００８８】
一実施形態によれば、化学式３０１で、Ａｒ３０１は、フルオレン基またはスピロビフルオレン基であってもよい。例えば、化学式３０１で表示される化合物は、下記化学式３０１−４または３０１−５でも表示されてもよい。
【化１６】
2020136256.tif 000027
．．．  ３０１−４
【化１７】
2020136256.tif 000028
．．．  ３０１−５
【００８９】
化学式３０１−４及び３０１−５で、
Ｙ３０１及びＹ３０２は、互いに独立して、単結合、Ｏ、Ｓ、Ｎ−［（Ｌ３０５）ｘｂ５−Ｒ３０５］またはＳ（＝Ｏ）２であり、ｘｂ５は、１〜５の整数のうちから選択され、
Ａ３０１〜Ａ３０４、Ｒ３１１〜Ｒ３１４、ｘｂ２１〜ｘｂ２４、Ｌ３０１〜Ｌ３０４、ｘｂ１〜ｘｂ４、及びＲ３０１〜Ｒ３０４は、それぞれ本明細書に記載されたところを参照し、
Ｌ３０５は、Ｌ３０１〜Ｌ３０４についての説明を参照し、
Ｒ３０５は、Ｒ３０１〜Ｒ３０４についての説明を参照する。
【００９０】
一実施形態によれば、化学式３０１で、Ｒ３０１がアミノ基、例えば、−Ｎ（Ｑ３０１）（Ｑ３０２）であってもよい。例えば、化学式３０１で表示される化合物は、下記化学式３０１−６でも表示されてもよい。
【化１８】
2020136256.tif 000029
．．．  ３０１−６
【００９１】
化学式３０１−６で、
Ａｒ３０１、ｘｂ１１、Ｌ３０２、ｘｂ２、Ｒ３０２、ｘｂ２２、Ｑ３０１及びＱ３０２は、それぞれ本明細書に記載されたところを参照する。
【００９２】
一実施形態によれば、化学式３０１で、Ａｒ３０１がピリジン、ピリミジンまたはトリアジンであってもよい。例えば、化学式３０１で表示される化合物は、下記化学式３０１−７でも表示されてもよい。
【化１９】
2020136256.tif 000030
．．．  ３０１−７
【００９３】
化学式３０１−７で、
Ｘ３０２は、ＮまたはＣ（Ｒ３１１）であり、Ｘ３０３は、ＮまたはＣ（Ｒ３１２）であり、Ｘ３０４は、ＮまたはＣ（Ｒ３１３）であり、Ｘ３０２〜Ｘ３０４のうち少なくとも一つは、Ｎであり、
Ｒ３１１〜Ｒ３１３は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ターフェニリル基、ナフチル基、ジベンゾフラニル基、ジベンゾチオフェニル基、−ＳＨ、−Ｓ（Ｑ３０１）、−Ｓｉ（Ｑ３０１）（Ｑ３０２）（Ｑ３０３）、−Ｎ（Ｑ３０１）（Ｑ３０２）、−Ｂ（Ｑ３０１）（Ｑ３０２）、−Ｃ（＝Ｏ）（Ｑ３０１）、−Ｓ（＝Ｏ）２（Ｑ３０１）及び−Ｐ（＝Ｏ）（Ｑ３０１）（Ｑ３０２）のうちから選択されるか、あるいは
Ｒ３０１〜Ｒ３０３、及びＲ３１１〜Ｒ３１３において、隣接する２以上の置換基が選択的に互いに結合し、置換もしくは無置換のＣ１−Ｃ６０炭素環式基、または置換もしくは無置換のＣ１−Ｃ６０ヘテロ環式基を形成することができ、
Ｌ３０１〜Ｌ３０３、ｘｂ１〜ｘｂ３、及びＲ３０１〜Ｒ３０３は、それぞれ本明細書に記載されたところを参照する。
【００９４】
一実施形態によれば、化学式３０１で、Ａｒ３０１がフェナントロリンであってもよい。例えば、化学式３０１で表示される化合物は、下記化学式３０１−８でも表示されてもよい。
【化２０】
2020136256.tif 000031
．．．  ３０１−８
【００９５】
化学式３０１−８で、
Ｒ３１１〜Ｒ３１３、ｘｂ２１〜ｘｂ２３、Ｌ３０１〜Ｌ３０３、ｘｂ１〜ｘｂ３、及びＲ３０１〜Ｒ３０３は、それぞれ本明細書に記載されたところを参照する。
【００９６】
一実施形態によれば、化学式３０１で、Ａｒ３０１が、ジアゾールまたはトリアゾールであってもよい。例えば、化学式３０１で表示される化合物は、下記化学式３０１−９でも表示されてもよい。
【化２１】
2020136256.tif 000032
．．．  ３０１−９
【００９７】
化学式３０１−９で、
Ｘ３０５は、ＮまたはＣ（Ｒ３１１）であり、Ｘ３０６は、ＮまたはＣ（Ｒ３１２）であり、Ｘ３０７は、ＮまたはＣ（Ｒ３１３）であり、Ｘ３０８は、ＮまたはＣ（Ｒ３１４）であり、Ｘ３０５〜Ｘ３０８のうち少なくとも一つがＮであり、
Ｒ３１１〜Ｒ３１４は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ターフェニリル基、ナフチル基、ジベンゾフラニル基、ジベンゾチオフェニル基、−ＳＨ、−Ｓ（Ｑ３０１）、−Ｓｉ（Ｑ３０１）（Ｑ３０２）（Ｑ３０３）、−Ｎ（Ｑ３０１）（Ｑ３０２）、−Ｂ（Ｑ３０１）（Ｑ３０２）、−Ｃ（＝Ｏ）（Ｑ３０１）、−Ｓ（＝Ｏ）２（Ｑ３０１）及び−Ｐ（＝Ｏ）（Ｑ３０１）（Ｑ３０２）のうちから選択されるか、あるいは
Ｒ３１１〜Ｒ３１４において、隣接する２以上の置換基が選択的に互いに結合し、置換もしくは無置換のＣ１−Ｃ６０炭素環式基、または置換もしくは無置換のＣ１−Ｃ６０ヘテロ環式基を形成することができ、
Ｌ３０１、ｘｂ１及びＲ３０１は、それぞれ本明細書に記載されたところを参照する。
【００９８】
例えば、Ｌ３０１〜Ｌ３０５は、互いに独立して、
フェニレン基、ナフチレン基、フルオレニレン基、スピロ−ビフルオレニレン基、ベンゾフルオレニレン基、ジベンゾフルオレニレン基、フェナントレニレン基、アントラセニレン基、フルオランテニレン基、トリフェニレニレン基、ピレニレン基、クリセニレン基、ペリレニレン基、ペンタフェニレン基、ヘキサセニレン基、ペンタセニレン基、チオフェニレン基、フラニレン基、カルバゾリレン基、インドリレン基、イソインドリレン基、ベンゾフラニレン基、ベンゾチオフェニレン基、ジベンゾフラニレン基、ジベンゾチオフェニレン基、ベンゾカルバゾリレン基、ジベンゾカルバゾリレン基、ジベンゾシロリレン基、ピリジニレン基、イミダゾリレン基、ピラゾリレン基、チアゾリレン基、イソチアゾリレン基、オキサゾリレン基、イソキサゾリレン基、チアジアゾリレン基、オキサジアゾリレン基、ピラジニレン基、ピリミジニレン基、ピリダジニレン基、トリアジニレン基、キノリニレン基、イソキノリニレン基、ベンゾキノリニレン基、フタラジニレン基、ナフチリジニレン基、キノキサリニレン基、キナゾリニレン基、シンノリニレン基、フェナントリジニレン基、アクリジニレン基、フェナントロリニレン基、フェナジニレン基、ベンゾイミダゾリレン基、イソベンゾチアゾリレン基、ベンゾオキサゾリレン基、イソベンゾオキサゾリレン基、トリアゾリレン基、テトラゾリレン基、イミダゾピリジニレン基、イミダゾピリミジニレン基及びアザカルバゾリレン基；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ターフェニリル基、ナフチル基、フルオレニル基、スピロ−ビフルオレニル基、ベンゾフルオレニル基、ジベンゾフルオレニル基、フェナントレニル基、アントラセニル基、フルオランテニル基、トリフェニレニル基、ピレニル基、クリセニル基、ペリレニル基、ペンタフェニル基、ヘキサセニル基、ペンタセニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基、イミダゾリル基、ピラゾリル基、チアゾリル基、イソチアゾリル基、オキサゾリル基、イソオキサゾリル基、チアジアゾリル基、オキサジアゾリル基、ピラジニル基、ピリミジニル基、ピリダジニル基、トリアジニル基、キノリニル基、イソキノリニル基、ベンゾキノリニル基、フタラジニル基、ナフチリジニル基、キノキサリニル基、キナゾリニル基、シンノリニル基、フェナントリジニル基、アクリジニル基、フェナントロリニル基、フェナジニル基、ベンゾイミダゾリル基、イソベンゾチアゾリル基、ベンゾオキサゾリル基、イソベンゾオキサゾリル基、トリアゾリル基、テトラゾリル基、イミダゾピリジニル基、イミダゾピリミジニル基、アザカルバゾリル基、−Ｓｉ（Ｑ３１）（Ｑ３２）（Ｑ３３）、−Ｎ（Ｑ３１）（Ｑ３２）、−Ｂ（Ｑ３１）（Ｑ３２）、−Ｃ（＝Ｏ）（Ｑ３１）、−Ｓ（＝Ｏ）２（Ｑ３１）及び−Ｐ（＝Ｏ）（Ｑ３１）（Ｑ３２）のうちから選択された少なくとも一つで置換された、フェニレン基、ナフチレン基、フルオレニレン基、スピロ−ビフルオレニレン基、ベンゾフルオレニレン基、ジベンゾフルオレニレン基、フェナントレニレン基、アントラセニレン基、フルオランテニレン基、トリフェニレニレン基、ピレニレン基、クリセニレン基、ペリレニレン基、ペンタフェニレン基、ヘキサセニレン基、ペンタセニレン基、チオフェニレン基、フラニレン基、カルバゾリレン基、インドリレン基、イソインドリレン基、ベンゾフラニレン基、ベンゾチオフェニレン基、ジベンゾフラニレン基、ジベンゾチオフェニレン基、ベンゾカルバゾリレン基、ジベンゾカルバゾリレン基、ジベンゾシロリレン基、ピリジニレン基、イミダゾリレン基、ピラゾリレン基、チアゾリレン基、イソチアゾリレン基、オキサゾリレン基、イソキサゾリレン基、チアジアゾリレン基、オキサジアゾリレン基、ピラジニレン基、ピリミジニレン基、ピリダジニレン基、トリアジニレン基、キノリニレン基、イソキノリニレン基、ベンゾキノリニレン基、フタラジニレン基、ナフチリジニレン基、キノキサリニレン基、キナゾリニレン基、シンノリニレン基、フェナントリジニレン基、アクリジニレン基、フェナントロリニレン基、フェナジニレン基、ベンゾイミダゾリレン基、イソベンゾチアゾリレン基、ベンゾオキサゾリレン基、イソベンゾオキサゾリレン基、トリアゾリレン基、テトラゾリレン基、イミダゾピリジニレン基、イミダゾピリミジニレン基及びアザカルバゾリレン基；のうちから選択され、
Ｑ３１〜Ｑ３３についての説明は、本明細書に記載されたところを参照することができる。
【００９９】
他の例として、Ｒ３０１〜Ｒ３０４は、互いに独立して、
フェニル基、ビフェニリル基、ターフェニリル基、ナフチル基、フルオレニル基、スピロ−ビフルオレニル基、ベンゾフルオレニル基、ジベンゾフルオレニル基、フェナントレニル基、アントラセニル基、フルオランテニル基、トリフェニレニル基、ピレニル基、クリセニル基、ペリレニル基、ペンタフェニル基、ヘキサセニル基、ペンタセニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基、イミダゾリル基、ピラゾリル基、チアゾリル基、イソチアゾリル基、オキサゾリル基、イソオキサゾリル基、チアジアゾリル基、オキサジアゾリル基、ピラジニル基、ピリミジニル基、ピリダジニル基、トリアジニル基、キノリニル基、イソキノリニル基、ベンゾキノリニル基、フタラジニル基、ナフチリジニル基、キノキサリニル基、キナゾリニル基、シンノリニル基、フェナントリジニル基、アクリジニル基、フェナントロリニル基、フェナジニル基、ベンゾイミダゾリル基、イソベンゾチアゾリル基、ベンゾオキサゾリル基、イソベンゾオキサゾリル基、トリアゾリル基、テトラゾリル基、イミダゾピリジニル基、イミダゾピリミジニルギ及びアザカルバゾリル基；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ターフェニリル基、ナフチル基、フルオレニル基、スピロ−ビフルオレニル基、ベンゾフルオレニル基、ジベンゾフルオレニル基、フェナントレニル基、アントラセニル基、フルオランテニル基、トリフェニレニル基、ピレニル基、クリセニル基、ペリレニル基、ペンタフェニル基、ヘキサセニル基、ペンタセニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基、イミダゾリル基、ピラゾリル基、チアゾリル基、イソチアゾリル基、オキサゾリル基、イソオキサゾリル基、チアジアゾリル基、オキサジアゾリル基、ピラジニル基、ピリミジニル基、ピリダジニル基、トリアジニル基、キノリニル基、イソキノリニル基、ベンゾキノリニル基、フタラジニル基、ナフチリジニル基、キノキサリニル基、キナゾリニル基、シンノリニル基、フェナントリジニル基、アクリジニル基、フェナントロリニル基、フェナジニル基、ベンゾイミダゾリル基、イソベンゾチアゾリル基、ベンゾオキサゾリル基、イソベンゾオキサゾリル基、トリアゾリル基、テトラゾリル基、イミダゾピリジニル基、イミダゾピリミジニル基、アザカルバゾリル基、−Ｓｉ（Ｑ３１）（Ｑ３２）（Ｑ３３）、−Ｎ（Ｑ３１）（Ｑ３２）、−Ｂ（Ｑ３１）（Ｑ３２）、−Ｃ（＝Ｏ）（Ｑ３１）、−Ｓ（＝Ｏ）２（Ｑ３１）及び−Ｐ（＝Ｏ）（Ｑ３１）（Ｑ３２）のうちから選択された少なくとも一つで置換された、フェニル基、ビフェニリル基、ターフェニリル基、ナフチル基、フルオレニル基、スピロ−ビフルオレニル基、ベンゾフルオレニル基、ジベンゾフルオレニル基、フェナントレニル基、アントラセニル基、フルオランテニル基、トリフェニレニル基、ピレニル基、クリセニル基、ペリレニル基、ペンタフェニル基、ヘキサセニル基、ペンタセニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基、イミダゾリル基、ピラゾリル基、チアゾリル基、イソチアゾリル基、オキサゾリル基、イソオキサゾリル基、チアジアゾリル基、オキサジアゾリル基、ピラジニル基、ピリミジニル基、ピリダジニル基、トリアジニル基、キノリニル基、イソキノリニル基、ベンゾキノリニル基、フタラジニル基、ナフチリジニル基、キノキサリニル基、キナゾリニル基、シンノリニル基、フェナントリジニル基、アクリジニル基、フェナントロリニル基、フェナジニル基、ベンゾイミダゾリル基、イソベンゾチアゾリル基、ベンゾオキサゾリル基、イソベンゾオキサゾリル基、トリアゾリル基、テトラゾリル基、イミダゾピリジニル基、イミダゾピリミジニル基及びアザカルバゾリル基；のうちから選択され、
Ｑ３１〜Ｑ３３についての説明は、本明細書に記載されたところを参照することができる。
【０１００】
例えば、第１ホスト及び第２ホストは、互いに独立して、下記化合物Ｈ１０１〜Ｈ１１９のうちから選択された少なくとも一つを含んでもよい。
【化２２】
2020136256.tif 000033
2020136256.tif 000034
2020136256.tif 000035
2020136256.tif 000036
2020136256.tif 000037
2020136256.tif 000038
2020136256.tif 000039
2020136256.tif 000040
2020136256.tif 000041
2020136256.tif 000042
2020136256.tif 000043
2020136256.tif 000044
2020136256.tif 000045
2020136256.tif 000046
2020136256.tif 000047
2020136256.tif 000048
2020136256.tif 000049
2020136256.tif 000050
2020136256.tif 000051
【０１０１】
一実施形態によれば、第１ホスト及び第２ホストは、互いに独立して、電子輸送性モイエティを含んでいない正孔輸送性ホスト、及び少なくとも１つの電子輸送性モイエティを含む電子輸送性ホストのうち少なくとも一つを含んでもよい。
【０１０２】
例えば、第１ホストは、電子輸送性モイエティを含んでいない第１正孔輸送性ホスト、及び少なくとも１つの電子輸送性モイエティを含む第１電子輸送性ホストのうち少なくとも一つを含み、第２ホストは、電子輸送性モイエティを含んでいない第２正孔輸送性ホスト、及び少なくとも１つの電子輸送性モイエティを含む第２電子輸送性ホストのうち少なくとも一つを含んでもよい。
【０１０３】
一実施形態によれば、第１ホストは、電子輸送性モイエティを含んでいない第１正孔輸送性ホスト、及び少なくとも１つの電子輸送性モイエティを含む第１電子輸送性ホストを含み、第２ホストは、電子輸送性モイエティを含んでいない第２正孔輸送性ホスト、及び少なくとも１つの電子輸送性モイエティを含む第２電子輸送性ホストを含んでもよい。
【０１０４】
例えば、第１正孔輸送性ホスト及び第２正孔輸送性ホストは、互いに独立して、前述の化学式３０１−１〜３０１−６のうちいずれか一つで表示される化合物であってもよい。
【０１０５】
他の例を挙げれば、第１電子輸送性ホスト及び第２電子輸送性ホストは、前述の化学式３０１−７〜３０１−９のうちから選択されたいずれか一つで表示される化合物であってもよい。
【０１０６】
さらに他の例として、第１ホスト及び第２ホストは、互いに独立して、アルカリ土類金属錯体を含んでもよい。例えば、ホストは、Ｂｅ錯体（例えば、下記化合物Ｈ５５）、Ｍｇ錯体及びＺｎ錯体のうちからも選択される。
【０１０７】
さらに他の例を挙げれば、第１ホスト及び第２ホストは、互いに独立して、９，１０−ジ（２−ナフチル）アントラセン（ＡＤＮ）、２−メチル−９，１０−ビス（ナフタレン−２−イル）アントラセン（ＭＡＤＮ）、９，１０−ジ−（２−ナフチル）−２−ｔ−ブチル−アントラセン（ＴＢＡＤＮ）、４，４’−ビス（Ｎ−カルバゾリル）−１，１’−ビフェニル（ＣＢＰ）、１，３−ジ−９−カルバゾリルベンゼン（ｍＣＰ）、１，３，５−トリ（カルバゾール−９−イル）ベンゼン（ＴＣＰ）、及び下記化合物Ｈ１〜Ｈ５５のうちから選択された少なくとも一つを含んでもよいが、それらに限定されるものではない。
【化２３】
2020136256.tif 000052
2020136256.tif 000053
2020136256.tif 000054
2020136256.tif 000055
2020136256.tif 000056
2020136256.tif 000057
2020136256.tif 000058
【０１０８】
一実施形態によれば、第１ホスト及び第２ホストは、互いに同一物質であってもよい。
【０１０９】
［第１ドーパント及び第２ドーパント］
一実施形態によれば、第１ドーパント及び第２ドーパントは、それぞれリン光ドーパントまたは遅延蛍光ドーパントを含んでもよい。
【０１１０】
リン光ドーパントは、下記化学式４０１で表示される有機金属錯体を含んでもよい。
Ｍ（Ｌ４０１）ｘｃ１（Ｌ４０２）ｘｃ２  ．．．  ４０１
【化２４】
2020136256.tif 000059
．．．  ４０２
【０１１１】
化学式４０１及び化学式４０２で、
Ｍは、イリジウム（Ｉｒ）、白金（Ｐｔ）、パラジウム（Ｐｄ）、オスミウム（Ｏｓ）、チタン（Ｔｉ）、ジルコニウム（Ｚｒ）、ハフニウム（Ｈｆ）、ユウロピウム（Ｅｕ）、テルビウム（Ｔｂ）、ロジウム（Ｒｈ）及びツリウム（Ｔｍ）のうちから選択され、
Ｌ４０１は、化学式４０２で表示されるリガンドのうちから選択され、ｘｃ１は、１、２または３であり、ｘｃ１が２以上である場合、２以上のＬ４０１は、互いに同一であっても異なっていてもよく、
Ｌ４０２は、有機リガンドであり、ｘｃ２は、０〜４の整数のうちから選択され、ｘｃ２が２以上である場合、２以上のＬ４０２は、互いに同一であっても異なっていてもよく、
Ｘ４０１〜Ｘ４０４は、互いに独立して、窒素または炭素であり、
Ｘ４０１とＸ４０３は、単結合または二重結合を介して連結され、Ｘ４０２とＸ４０４は、単結合または二重結合を介して連結され、
Ａ４０１及びＡ４０２は、互いに独立して、Ｃ５−Ｃ６０炭素環式基またはＣ１−Ｃ６０ヘテロ環式基であり、
Ｘ４０５は、単結合、＊−Ｏ−＊’、＊−Ｓ−＊’、＊−Ｃ（＝Ｏ）−＊’、＊−Ｎ（Ｑ４１１）−＊’、＊−Ｃ（Ｑ４１１）（Ｑ４１２）−＊’、＊−Ｃ（Ｑ４１１）＝Ｃ（Ｑ４１２）−＊’、＊−Ｃ（Ｑ４１１）＝＊’または＊＝Ｃ（Ｑ４１１）＝＊’であり、Ｑ４１１及びＱ４１２は、水素、重水素、Ｃ１−Ｃ２０アルキル基、Ｃ１−Ｃ２０アルコキシ基、フェニル基、ビフェニリル基、ターフェニリル基またはナフチル基であり、
Ｘ４０６は、単結合、ＯまたはＳであり、
Ｒ４０１及びＲ４０２は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、置換もしくは無置換のＣ１−Ｃ２０アルキル基、置換もしくは無置換のＣ１−Ｃ２０アルコキシ基、置換もしくは無置換のＣ３−Ｃ１０シクロアルキル基、置換もしくは無置換のＣ１−Ｃ１０ヘテロシクロアルキル基、置換もしくは無置換のＣ３−Ｃ１０シクロアルケニル基、置換もしくは無置換のＣ１−Ｃ１０ヘテロシクロアルケニル基、置換もしくは無置換のＣ６−Ｃ６０アリール基、置換もしくは無置換のＣ６−Ｃ６０アリールオキシ基、置換もしくは無置換のＣ６−Ｃ６０アリールチオ基、置換もしくは無置換のＣ１−Ｃ６０ヘテロアリール基、置換もしくは無置換の一価非芳香族縮合多環基、置換もしくは無置換の一価非芳香族ヘテロ縮合多環基、−Ｓｉ（Ｑ４０１）（Ｑ４０２）（Ｑ４０３）、−Ｎ（Ｑ４０１）（Ｑ４０２）、−Ｂ（Ｑ４０１）（Ｑ４０２）、−Ｃ（＝Ｏ）（Ｑ４０１）、−Ｓ（＝Ｏ）２（Ｑ４０１）、及び−Ｐ（＝Ｏ）（Ｑ４０１）（Ｑ４０２）のうちから選択され、Ｑ４０１〜Ｑ４０３は、互いに独立して、Ｃ１−Ｃ１０アルキル基、Ｃ１−Ｃ１０アルコキシ基、Ｃ６−Ｃ２０アリール基及びＣ１−Ｃ２０ヘテロアリール基のうちから選択され、
ｘｃ１１及びｘｃ１２は、互いに独立して、０〜１０の整数のうちから選択され、
化学式４０２で、＊及び＊’は、化学式４０１におけるＭとの結合サイトである。
【０１１２】
一実施形態によれば、化学式４０２で、Ａ４０１及びＡ４０２は、互いに独立して、ベンゼン、ナフタレン、フルオレン、スピロ−ビフルオレン、インデン、ピロール、チオフェン、フラン、イミダゾール、ピラゾール、チアゾール、イソチアゾール、オキサゾール、イソオキサゾール、ピリジン、ピラジン、ピリミジン、ピリダジン、キノリン、イソキノリン、ベンゾキノリン、キノキサリン、キナゾリン、カルバゾール、ベンゾイミダゾール、ベンゾフラン、ベンゾチオフェン、イソベンゾチオフェン、ベンゾオキサゾール、イソベンゾオキサゾール、トリアゾール、テトラゾール、オキサジアゾール、トリアジン、ジベンゾフラン及びジベンゾチオフェンのうちからも選択される環構造である。
【０１１３】
他の実施形態によれば、化学式４０２で、ｉ）Ｘ４０１は、窒素であり、Ｘ４０２は、炭素であるか、あるいはｉｉ）Ｘ４０１とＸ４０２とがいずれも窒素であってもよい。
【０１１４】
さらに他の実施形態によれば、化学式４０２で、Ｒ４０１及びＲ４０２は、互いに独立して、
水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基及びＣ１−Ｃ２０アルコキシ基；
重水素、−Ｆ、−Ｃｌ、−Ｂｒ、−Ｉ、ヒドロキシル基、シアノ基、ニトロ基、アミジノ基、ヒドラジノ基、ヒドラゾノ基、フェニル基、ナフチル基、シクロペンチル基、シクロヘキシル基、アダマンタニル基、ノルボルナニル基及びノルボルネニル基のうちから選択された少なくとも一つで置換された、Ｃ１−Ｃ２０アルキル基及びＣ１−Ｃ２０アルコキシ基；
シクロペンチル基、シクロヘキシル基、アダマンタニル基、ノルボルナニル基、ノルボルネニル基、フェニル基、ビフェニリル基、ターフェニリル基、ナフチル基、フルオレニル基、ピリジニル基、ピラジニル基、ピリミジニル基、ピリダジニル基、トリアジニル基、キノリニル基、イソキノリニル基、キノキサリニル基、キナゾリニル基、カルバゾリル基、ジベンゾフラニル基及びジベンゾチオフェニル基；
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、シクロペンチル基、シクロヘキシル基、アダマンタニル基、ノルボルナニル基、ノルボルネニル基、フェニル基、ビフェニリル基、ターフェニリル基、ナフチル基、フルオレニル基、ピリジニル基、ピラジニル基、ピリミジニル基、ピリダジニル基、トリアジニル基、キノリニル基、イソキノリニル基、キノキサリニル基、キナゾリニル基、カルバゾリル基、ジベンゾフラニル基及びジベンゾチオフェニル基のうちから選択された少なくとも一つで置換された、シクロペンチル基、シクロヘキシル基、アダマンタニル基、ノルボルナニル基、ノルボルネニル基、フェニル基、ビフェニリル基、ターフェニル基、ナフチル基、フルオレニル基、ピリジニル基、ピラジニル基、ピリミジニル基、ピリダジニル基、トリアジニル基、キノリニル基、イソキノリニル基、キノキサリニル基、キナゾリニル基、カルバゾリル基、ジベンゾフラニル基及びジベンゾチオフェニル基；並びに
−Ｓｉ（Ｑ４０１）（Ｑ４０２）（Ｑ４０３）、−Ｎ（Ｑ４０１）（Ｑ４０２）、−Ｂ（Ｑ４０１）（Ｑ４０２）、−Ｃ（＝Ｏ）（Ｑ４０１）、−Ｓ（＝Ｏ）２（Ｑ４０１）及び−Ｐ（＝Ｏ）（Ｑ４０１）（Ｑ４０２）；のうちから選択され、
Ｑ４０１〜Ｑ４０３は、互いに独立して、Ｃ１−Ｃ１０アルキル基、Ｃ１−Ｃ１０アルコキシ基、フェニル基、ビフェニリル基及びナフチル基のうちからも選択されてもよく、それらに限定されるものではない。
【０１１５】
さらに他の実施形態によれば、化学式４０１で、ｘｃ１が２以上である場合、２以上のＬ４０１で、２個のＡ４０１は、選択的に、連結基であるＸ４０７を介しても互いに連結されるか、あるいは２個のＡ４０２は、選択的に、連結基であるＸ４０８を介しても互いに連結される（下記化合物ＰＤ１〜ＰＤ４、及びＰＤ７参照）。Ｘ４０７及びＸ４０８は、互いに独立して、単結合、＊−Ｏ−＊’、＊−Ｓ−＊’、＊−Ｃ（＝Ｏ）−＊’、＊−Ｎ（Ｑ４１３）−＊’、＊−Ｃ（Ｑ４１３）（Ｑ４１４）−＊’または＊−Ｃ（Ｑ４１３）＝Ｃ（Ｑ４１４）−＊’（ここで、Ｑ４１３及びＱ４１４は、互いに独立して、水素、重水素、Ｃ１−Ｃ２０アルキル基、Ｃ１−Ｃ２０アルコキシ基、フェニル基、ビフェニリル基、ターフェニリル基またはナフチル基である）であってもよいが、それらに限定されるものではない。
【０１１６】
化学式４０１でＬ４０２は、任意の一価、二価または三価の有機リガンドであってもよい。例えば、Ｌ４０２は、ハロゲン、ジケトン（例えば、アセチルアセトネート）、カルボン酸（例えば、ピコリネート）、−Ｃ（＝Ｏ）、イソニトリル、−ＣＮ及びホスホロス（例えば、ホスフィン（ｐｈｏｓｐｈｉｎｅ））、ホスファイト（ｐｈｏｓｐｈｉｔｅ））のうちからも選択されてもよく、それらに限定されるものではない。
【０１１７】
または、リン光ドーパントは、例えば、下記化合物ＰＤ１〜ＰＤ２５のうちからも選択されてもよく、それらに限定されるものではない。
【化２５】
2020136256.tif 000060
2020136256.tif 000061
2020136256.tif 000062
【０１１８】
一実施形態によれば、リン光ドーパントは、青色発光に使用されるものであってもよい。
【０１１９】
例えば、リン光ドーパントは、下記ＰＤ１０１〜ＰＤ１２６のうちからも選択されてもよい。
【化２６】
2020136256.tif 000063
2020136256.tif 000064
2020136256.tif 000065
2020136256.tif 000066
2020136256.tif 000067
2020136256.tif 000068
2020136256.tif 000069
2020136256.tif 000070
2020136256.tif 000071
2020136256.tif 000072
2020136256.tif 000073
2020136256.tif 000074
【０１２０】
化合物ＰＤ１０１〜ＰＤ１２６で、
Ｍｅは、メチル基を示し、Ｐｒｉは、イソプロピル基を示し、Ｂｕｔは、ｔ−ブチル基を示す。
【０１２１】
遅延蛍光ドーパントは、下記数式（３）を満足することができる。
│Ｓ１（Ｄ）−Ｔ１（Ｄ）│≦０．５ｅＶ          （３）
【０１２２】
数式（３）で、
Ｔ１（Ｄ）は、ドーパントの最低励起三重項エネルギーレベルであり、
Ｓ１（Ｄ）は、ドーパントの最低励起一重項エネルギーレベルである。
【０１２３】
数式（３）を満足する遅延蛍光ドーパントは、常温でも熱活性化遅延蛍光を放出することができる。例えば、遅延蛍光ドーパントは、Ｓ１（Ｄ）−Ｔ１（Ｄ）≦０．３ｅＶまたはＳ１（Ｄ）−Ｔ１（Ｄ）≦０．２ｅＶを満足することができるが、それらに限定されるものではない。
【０１２４】
また、遅延蛍光ドーパントは、金属原子を含むものではない。すなわち、遅延蛍光ドーパントは、金属原子を含むリン光ドーパントとは、明白に区分される。他の例を挙げれば、遅延蛍光ドーパントは、イリジウム（Ｉｒ）、白金（Ｐｔ）、パラジウム（Ｐｄ）、オスミウム（Ｏｓ）、チタン（Ｔｉ）、ジルコニウム（Ｚｒ）、ハフニウム（Ｈｆ）、ユウロピウム（Ｅｕ）、テルビウム（Ｔｂ）、ロジウム（Ｒｈ）及びツリウム（Ｔｍ）を含まず、リン光ドーパントとは区分される。
【０１２５】
一実施形態によれば、第１ホスト及び第１ドーパントは、Ｔ１（Ｈ１）≧Ｔ１（Ｄ１）を満足し、第２ホスト及び第２ドーパントは、Ｔ１（Ｈ２）≧Ｔ１（Ｄ２）を満足することができるが、それらに限定されるものではない。第１ホスト、第１ドーパント、第２ホスト及び第２ドーパントが、前述の範囲を満足する場合、第１ホストから第１ドーパントに励起子が円滑に伝達され、第２ホストから第２ドーパントに励起子が円滑に伝達される。
【０１２６】
例えば、遅延蛍光ドーパントは、電子供与基（Ｄ）及び電子求引基（Ａ）を含むＤ−Ａ形態の構造を有することができる。具体的には、特開２０１１−１４００４６号、特開２０１３−０３４９６７号、特開２０１５−５３０７４５号、特開２０１３−０３４９６７号、特開２０１４−５１２４１６号、特開２０１５−５２５２４８号、特開２０１３−５２４７０７号、特開２０１３−５４７２２５号、特開２０１２−２７４３２４号、特開２０１５−５０４３２２号、米国公開特許公報２０１２−０２１７８６９号、国際公開公報２０１５−１１８０３５号、国際公開公報２０１６−０９１８８７号、国際公開公報２０１６−０９６８５１号、韓国公開特許公報２０１７−７００５３３２号、特開２０１４−５１８７３７号、米国公開特許公報２０１６−０１９７２８６号、米国公開特許公報２０１４−０１３８６２７号、米国公開特許公報２０１４−０１４５１４９号、米国公開特許公報２０１４−０１５８９９２号、米国公開特許公報２０１４−０１４５１５１号、米国公開特許公報２０１５−００２１５５５号、米国公開特許公報２０１４−０３３２７５８号、韓国公開特許公報２０１４−０１５４３９１号、特開２０１５−１４８５８８号、特開２０１６−５０６４４２号、特開２０１５−５３１７４８号、特開２０１６−５３８３００号、特開２０１６−５３８３９３号、特開２０１５−０９５８１４号、特開２０１２−５３８６３９号、特開２０１４−５２５８０３号、特開２０１２−５４６８５８号、特開２０１６−５３８３００号、特開２０１４−５３８５４０号などに記載された化合物であってもよく、それらに限定されるものではない。
【０１２７】
他の例として、遅延蛍光ドーパントは、Ｄ−Ａ−Ｄ形態またはＡ−Ｄ−Ａ形態の構造を有することができる。具体的には、国際公開公報２０１５−１５８６９２号、特開２０１６−５３８４３５号、特開２０１６−５３８４２６号、特開２０１５−５００３０８号、特開２０１５−５２７２３１号などに記載された化合物であってもよく、それらに限定されるものではない。
【０１２８】
さらに他の例として、遅延蛍光ドーパントは、遷移金属錯体であってもよい。具体的には、Ｃｕ錯体またはＰｔ錯体でもあり、韓国公開特許公報２０１２−７０１７４９７号、韓国公開特許公報２０１３−７００１３９６号、韓国公開特許公報２０１４−００６８０２７号、韓国公開特許公報２０１４−７００３３２７号、米国公開特許公報２０１１−０３０４２６２号などに記載された化合物であってもよく、それらに限定されるものではない。
【０１２９】
さらに他の例として、遅延蛍光ドーパントは、Ｂ−Ｎ構造を含む化合物でもあり、米国公開特許公報２０１４−００２７７３４号などに記載された化合物であってもよく、それに限定されるものではない。
【０１３０】
さらに他の例として、遅延蛍光ドーパントは、特開２０１５−５０８５６９号、特開２０１４−５５４３０６号に記載された化合物であってもよく、それらに限定されるものではない。
【０１３１】
前述の電子供与基（Ｄ）は、例えば、カルバゾリル基、ジベンゾチオフニル基、ジベンゾフラニル基、インドロカルバゾリル基、ビス−カルバゾリル基などであってもよく、それらに限定されるものではない。
【０１３２】
前述の電子求引基（Ａ）は、ＣＮ、Ｆ、ＣＮ及び／またはＦで置換されたアリール基、π電子欠乏性含窒素環式基などであってもよく、それらに限定されるものではない。
【０１３３】
一実施形態によれば、第１ホスト、第１ドーパント、第２ホスト、第２ドーパント及び第１消光物質は、下記数式（１−１）〜数式（１−４）を満足することができる。
Ｔ１（Ｑ１）≦Ｔ１（Ｈ１）          （１−１）
Ｔ１（Ｑ１）≦Ｔ１（Ｄ１）          （１−２）
Ｔ１（Ｑ１）≦Ｔ１（Ｈ２）          （１−３）
Ｔ１（Ｑ１）≦Ｔ１（Ｄ２）          （１−４）
【０１３４】
数式（１−１）及び数式（１−２）で、
Ｔ１（Ｑ１）は、第１消光物質の最低励起三重項エネルギーレベルであり、
Ｔ１（Ｈ１）は、第１ホストの最低励起三重項エネルギーレベルであり、
Ｔ１（Ｄ１）は、第１ドーパントの最低励起三重項エネルギーレベルであり、
Ｔ１（Ｈ２）は、第２ホストの最低励起三重項エネルギーレベルであり、
Ｔ１（Ｄ２）は、第２ドーパントの最低励起三重項エネルギーレベルである。
【０１３５】
数式（１−１）及び数式（１−３）を満足する有機発光素子は、第１発光層の第１ホスト、及び第２発光層の第２ホストで生成された三重項のうちいずれか一部が、第１励起子消光層に移動される。それにより、第１発光層内及び第２発光層内の三重項濃度が適切に調節される。第１発光層内及び第２発光層内の三重項は、発光に寄与せず、三重項同士反応して消滅するか、あるいは電荷、または電荷を帯びた有機分子との反応のようなさまざまなメカニズムを介して、ホスト及びドーパントを劣化させることができる。従って、有機発光素子は、第１励起子消光層を含むことにより、第１発光層内及び第２発光層内に存在する三重項が一部消光され、適正濃度に維持されるので、有機発光素子の寿命を向上させることができる。
【０１３６】
数式（１−２）及び数式（１−４）を満足する有機発光素子は、第１発光層の第１ホスト、及び第２発光層の第２ホストで生成された三重項が、いずれも第１励起子消光層に移動されず、それぞれ第１発光層の第１ドーパント、及び第２発光層の第２ドーパントに移動させる。それにより、第１発光層内及び第２発光層内の三重項濃度が目的とする発光効率を得ることができるほどに維持されることができる。
【０１３７】
第１発光層１３１及び第２発光層１３２の間には、第１消光物質を含む第１励起子消光層１３３が介在される。
【０１３８】
一実施形態によれば、第１消光物質の最低励起三重項エネルギーレベルＴ１（Ｑ１）は、１ｅＶ〜３．５ｅＶであってもよい。例えば、Ｔ１（Ｑ１）は、１．７ｅＶ〜３．３ｅＶであってもよい。第１消光物質のＴ１（Ｑ１）が前述の範囲を満足する場合、第１消光物質が、一般的に、有機発光素子の発光層に使用されるリン光ドーパントに比べ、低い最低励起三重項エネルギーレベルを有し、発光層において、発光に寄与しない三重項の濃度が低くなる。
【０１３９】
一実施形態によれば、第１消光物質は、蛍光発光材料及びリン光発光材料のうちから選択された１種以上を含んでもよい。
【０１４０】
一実施形態によれば、蛍光発光材料は、青色発光に使用される、有機金属系低分子ホストまたは有機系低分子ホストであってもよい。
【０１４１】
有機金属系低分子は、例えば、Ｂｅ錯体、Ｍｇ錯体及びＺｎ錯体のようなアルカリ土類金属錯体であってもよい。
【０１４２】
有機系低分子ホストは、例えば、スチリル系化合物、オキサジアゾール系化合物及びスピロビフルオレン系化合物のうちからも選択される。
【０１４３】
一実施形態によれば、蛍光発光材料は、下記化合物ＭＨ１〜ＭＨ１３、及び化合物ＬＨ１〜ＬＨ１１のうちからも選択されてもよい。
【化２７】
2020136256.tif 000075
2020136256.tif 000076
2020136256.tif 000077
2020136256.tif 000078
2020136256.tif 000079
【０１４４】
一実施形態によれば、蛍光発光材料は、蛍光ドーパントであってもよい。
【０１４５】
蛍光発光材料は、例えば、ジアミン系化合物、スチリル系化合物、ペリレン系化合物及びクマリン系化合物のうちから選択された１種以上を含んでもよい。
【０１４６】
一実施形態によれば、蛍光発光材料は、下記化学式５０１で表示される化合物を含んでもよい。
【化２８】
2020136256.tif 000080
．．．  ５０１
【０１４７】
化学式５０１で、
Ａｒ５０１は、置換もしくは無置換のＣ５−Ｃ６０炭素環式基、または置換もしくは無置換のＣ１−Ｃ６０ヘテロ環式基であり、
Ｌ５０１〜Ｌ５０３は、互いに独立して、置換もしくは無置換のＣ３−Ｃ１０シクロアルキレン基、置換もしくは無置換のＣ１−Ｃ１０ヘテロシクロアルキレン基、置換もしくは無置換のＣ３−Ｃ１０シクロアルケニレン基、置換もしくは無置換のＣ１−Ｃ１０ヘテロシクロアルケニレン基、置換もしくは無置換のＣ６−Ｃ６０アリーレン基、置換もしくは無置換のＣ１−Ｃ６０ヘテロアリーレン基、置換もしくは無置換の二価非芳香族縮合多環基、及び置換もしくは無置換の二価非芳香族ヘテロ縮合多環基のうちから選択され、
ｘｄ１〜ｘｄ３は、互いに独立して、０〜３の整数のうちから選択され、
Ｒ５０１及びＲ５０２は、互いに独立して、置換もしくは無置換のＣ３−Ｃ１０シクロアルキル基、置換もしくは無置換のＣ１−Ｃ１０ヘテロシクロアルキル基、置換もしくは無置換のＣ３−Ｃ１０シクロアルケニル基、置換もしくは無置換のＣ１−Ｃ１０ヘテロシクロアルケニル基、置換もしくは無置換のＣ６−Ｃ６０アリール基、置換もしくは無置換のＣ６−Ｃ６０アリールオキシ基、置換もしくは無置換のＣ６−Ｃ６０アリールチオ基、置換もしくは無置換のＣ１−Ｃ６０ヘテロアリール基、置換もしくは無置換の一価非芳香族縮合多環基、及び置換もしくは無置換の一価非芳香族ヘテロ縮合多環基のうちから選択され、
ｘｄ４は、１〜６の整数のうちからも選択される。
【０１４８】
一実施形態によれば、化学式５０１でＡｒ５０１は、
ナフタレン、ヘプタレン、フルオレン、スピロ−ビフルオレン、ベンゾフルオレン、ジベンゾフルオレン、フェナレン、フェナントレン、アントラセン、フルオランテン、トリフェニレン、ピレン、クリセン、ナフタセン、ピセン、ペリレン、ペンタフェン、インデノアントラセン及びインデノフェナントレンから選択される環構造；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ターフェニリル基及びナフチル基のうちから選択された少なくとも一つで置換された、ナフタレン、ヘプタレン、フルオレン、スピロ−ビフルオレン、ベンゾフルオレン、ジベンゾフルオレン、フェナレン、フェナントレン、アントラセン、フルオランテン、トリフェニレン、ピレン、クリセン、ナフタセン、ピセン、ペリレン、ペンタフェン、インデノアントラセン及びインデノフェナントレンから選択される環構造；のうちからも選択される。
【０１４９】
他の実施形態によれば、化学式５０１で、Ｌ５０１〜Ｌ５０３は、互いに独立して、
フェニレン基、ナフチレン基、フルオレニレン基、スピロ−ビフルオレニレン基、ベンゾフルオレニレン基、ジベンゾフルオレニレン基、フェナントレニレン基、アントラセニレン基、フルオランテニレン基、トリフェニレニレン基、ピレニレン基、クリセニレン基、ペリレニレン基、ペンタフェニレン基、ヘキサセニレン基、ペンタセニレン基、チオフェニレン基、フラニレン基、カルバゾリレン基、インドリレン基、イソインドリレン基、ベンゾフラニレン基、ベンゾチオフェニレン基、ジベンゾフラニレン基、ジベンゾチオフェニレン基、ベンゾカルバゾリレン基、ジベンゾカルバゾリレン基、ジベンゾシロリレン基及びピリジニレン基；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ターフェニル基、ナフチル基、フルオレニル基、スピロ−ビフルオレニル基、ベンゾフルオレニル基、ジベンゾフルオレニル基、フェナントレニル基、アントラセニル基、フルオランテニル基、トリフェニレニル基、ピレニル基、クリセニル基、ペリレニル基、ペンタフェニル基、ヘキサセニル基、ペンタセニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基及びピリジニル基のうちから選択された少なくとも一つで置換された、フェニレン基、ナフチレン基、フルオレニレン基、スピロ−ビフルオレニレン基、ベンゾフルオレニレン基、ジベンゾフルオレニレン基、フェナントレニレン基、アントラセニレン基、フルオランテニレン基、トリフェニレニレン基、ピレニレン基、クリセニレン基、ペリレニレン基、ペンタフェニレン基、ヘキサセニレン基、ペンタセニレン基、チオフェニレン基、フラニレン基、カルバゾリレン基、インドリレン基、イソインドリレン基、ベンゾフラニレン基、ベンゾチオフェニレン基、ジベンゾフラニレン基、ジベンゾチオフェニレン基、ベンゾカルバゾリレン基、ジベンゾカルバゾリレン基、ジベンゾシロリレン基及びピリジニレン基；のうちからも選択される。
【０１５０】
さらに他の実施形態によれば、化学式５０１で、Ｒ５０１及びＲ５０２は、互いに独立して、
フェニル基、ビフェニリル基、ターフェニル基、ナフチル基、フルオレニル基、スピロ−ビフルオレニル基、ベンゾフルオレニル基、ジベンゾフルオレニル基、フェナントレニル基、アントラセニル基、フルオランテニル基、トリフェニレニル基、ピレニル基、クリセニル基、ペリレニル基、ペンタフェニル基、ヘキサセニル基、ペンタセニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基及びピリジニル基；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ターフェニリル基、ナフチル基、フルオレニル基、スピロ−ビフルオレニル基、ベンゾフルオレニル基、ジベンゾフルオレニル基、フェナントレニル基、アントラセニル基、フルオランテニル基、トリフェニレニル基、ピレニル基、クリセニル基、ペリレニル基、ペンタフェニル基、ヘキサセニル基、ペンタセニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基及び−Ｓｉ（Ｑ３１）（Ｑ３２）（Ｑ３３）のうちから選択された少なくとも一つで置換された、フェニル基、ビフェニリル基、ターフェニリル基、ナフチル基、フルオレニル基、スピロ−ビフルオレニル基、ベンゾフルオレニル基、ジベンゾフルオレニル基、フェナントレニル基、アントラセニル基、フルオランテニル基、トリフェニレニル基、ピレニル基、クリセニル基、ペリレニル基、ペンタフェニル基、ヘキサセニル基、ペンタセニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基及びピリジニル基；のうちから選択され、
Ｑ３１〜Ｑ３３は、Ｃ１−Ｃ１０アルキル基、Ｃ１−Ｃ１０アルコキシ基、フェニル基、ビフェニリル基、ターフェニリル基及びナフチル基のうちからも選択される。
【０１５１】
さらに他の実施形態によれば、化学式５０１でｘｄ４は、２であってもよいが、それに限定されるものではない。
【０１５２】
例えば、蛍光発光材料は、下記化合物ＦＤ１〜ＦＤ２２のうちからも選択される。
【化２９】
2020136256.tif 000081
2020136256.tif 000082
2020136256.tif 000083
2020136256.tif 000084
2020136256.tif 000085
2020136256.tif 000086
2020136256.tif 000087
2020136256.tif 000088
2020136256.tif 000089
【０１５３】
または、記蛍光発光材料は、下記化合物のうちからも選択されてもよく、それらに限定されるものではない。
【化３０】
2020136256.tif 000090
2020136256.tif 000091
2020136256.tif 000092
【０１５４】
一実施形態によれば、第１消光物質は、リン光発光材料を含んでもよい。
【０１５５】
一実施形態によれば、リン光発光材料は、赤色発光または緑色発光にも使用される。
【０１５６】
一実施形態によれば、リン光発光材料は、前述の化学式３０１で表示される化合物であってもよい。
【０１５７】
例えば、リン光発光材料は、前述の化合物Ｈ１０１〜Ｈ１１９のうちからも選択される。一実施形態によれば、リン光発光材料は、前述の化学式４０１で表示される有機金属錯体であってもよい。
【０１５８】
一実施形態によれば、リン光発光材料は、赤色発光または緑色発光にも使用される。例えば、リン光発光材料は、トリス（２−フェニルピリジン）イリジウム（ＩＩＩ）（Ｉｒ（ｐｐｙ）３）、トリス（１−フェニルイソキノリン）イリジウム（ＩＩＩ）（Ｉｒ（ｐｉｑ）３）、ビス（２−ベンゾ［ｂ］チオフェン−２−イル−ピリジン）（アセチルアセトネート）イリジウム（ＩＩＩ）（Ｉｒ（ｂｔｐ）２（ａｃａｃ））、トリス（ジベンゾイルメタン）フェナントロリンユウロピウム（ＩＩＩ）（Ｅｕ（ｄｂｍ）３（ｐｈｅｎ））またはトリス［４，４’−ジ−ｔｅｒｔ−ブチル−（２，２’）−ビピリジン］ルテニウム（ＩＩＩ）（Ｒｕ（ｄｔｂ−ｂｐｙ）３・２（ＰＦ６））であってもよい。
【０１５９】
一実施形態によれば、第１励起子消光層１００重量部当たり、第１消光物質の含量は、０．０５重量部〜２０重量部であってもよい。例えば、第１励起子消光層１００重量部当たり、第１消光物質の含量は、０．１重量部〜１０重量部、または０．５重量部〜５重量部であってもよい。
【０１６０】
一実施形態によれば、第１消光物質が、前述の蛍光発光材料であり、第１励起子消光層１００重量部当たり、第１消光物質の含量は、０．１重量部〜２０重量部、例えば、０．５重量部〜５重量部であってもよい。
【０１６１】
一実施形態によれば、第１消光物質が、前述のリン光発光材料であり、第１励起子消光層１００重量部当たり、第１消光物質の含量は、０．１重量部〜２０重量部、例えば、０．５重量部〜２重量部であってもよい。
【０１６２】
一実施形態によれば、第１励起子消光層の厚みが、０．５ｎｍ〜５０ｎｍであってもよい。例えば、第１励起子消光層の厚みが、１ｎｍ〜２０ｎｍであってもよい。
【０１６３】
一実施形態によれば、第１励起子消光層の厚み（ＤＱ１）と、第１発光層の厚み（ＤＥ１）は、ＤＥ１≧ＤＱ１を満足し、
第１励起子消光層の厚み（ＤＱ１）と、第２発光層の厚み（ＤＥ２）は、ＤＥ２≧ＤＱ１を満足することができる。
【０１６４】
一実施形態によれば、第１励起子消光層と第１発光層との界面から、第１励起子消光層と第２発光層との界面までの長さ１００％に対して、
（ｉ）第１励起子消光層と第１発光層との界面からの長さが０％〜２０％である領域（Ｍ０，２０）、及び（ｉｉ）第１励起子消光層と第１発光層との界面からの長さが８０％〜１００％である領域（Ｍ８０，１００）に、第１消光物質１００重量部のうち５０重量部以上が含まれてもよい。例えば、領域Ｍ０，２０及び領域Ｍ８０，１００に、第１消光物質１００重量部のうち７０重量部以上、または８５重量部以上または９０重量部以上が含まれてもよい。
【０１６５】
すなわち、第１励起子消光層と第１発光層との界面、及び第１励起子消光層と第２発光層との界面に近いほど、第１励起子消光層において、第１消光物質の濃度が高くなるように、濃度勾配（ｇｒａｄｉｅｎｔ）が形成される。
【０１６６】
他の実施形態によれば、第１励起子消光層と第１発光層との界面から、第１励起子消光層と第２発光層との界面までの長さ１００％に対して、
（ｉ）第１励起子消光層と第１発光層との界面からの長さが、０％〜５０％である領域（Ｍ０，５０）、あるいは（ｉｉ）第１励起子消光層と第１発光層との界面からの長さが、５０％〜１００％である領域（Ｍ５０，１００）に、第１消光物質１００重量部のうち７０重量部以上が含まれてもよい。例えば、領域Ｍ０，５０及び領域Ｍ５０，１００のうちいずれか１つの領域に、第１消光物質１００重量部のうち７０重量部以上、または８５重量部以上または９０重量部以上が含まれてもよい。
【０１６７】
すなわち、第１励起子消光層と第１発光層との界面、及び第１励起子消光層と第２発光層との界面のうち、いずれか一方に近いほど、第１励起子消光層において、第１消光物質の濃度が高くなり、他の一方に近いほど、第１励起子消光層において、第１消光物質の濃度が低くなるように濃度勾配が形成される。
【０１６８】
一実施形態による有機発光素子は、第１発光層と第２発光層との間に介在された第１励起子消光層を含む。一実施形態によれば、第１励起子消光層は、第１発光層及び第２発光層と直接接触するものであってもよい。
【０１６９】
一実施形態によれば、第１励起子消光層は、第３ホストをさらに含んでもよい。他の実施形態によれば、第１励起子消光層が、第３ホスト及び第３ドーパントをさらに含んでもよい。
【０１７０】
第３ホスト及び第３ドーパントは、第１消光物質とは異なる物質であってもよい。
【０１７１】
第３ホストについての説明は、本明細書において、第１ホスト及び第２ホストについての説明を参照することができる。また、第３ドーパントについての説明は、本明細書において、第１ドーパント及び第２ドーパントについての説明を参照することができる。
【０１７２】
一実施形態によれば、第１ホストまたは第２ホストのうち少なくとも一つが、第３ホストと同一である。
【０１７３】
一実施形態による有機発光素子は、発光領域を含む有機層を含み、発光領域は、第１発光層、第２発光層及び第１励起子消光層を含む。第１発光層は、第１ホスト及び第１ドーパントを含み、第２発光層は、第２ホスト及び第２ドーパントを含む。
【０１７４】
［有機層における電子輸送領域］
電子輸送領域は、ｉ）単一の物質からなる単一の層からなる単層構造、ｉｉ）複数の互いに異なる物質からなる単一の層からなる単層構造、あるいはｉｉｉ）複数の互いに異なる物質からなる複層を有する多層構造を有することができる。
【０１７５】
電子輸送領域は、バッファ層、電子調節層、電子輸送層（ＥＴＬ）及び電子注入層のうちから選択された少なくとも１層を含んでもよいが、それらに限定されるものではない。
【０１７６】
例えば、電子輸送領域は、発光層から順に積層された、電子輸送層／電子注入層、電子輸送層／電子注入層、電子調節層／電子輸送層／電子注入層、バッファ層／電子輸送層／電子注入層、正孔阻止層／電子輸送層／電子注入層、正孔阻止層／電子調節層／電子輸送層／電子注入層、または正孔阻止層／バッファ層／電子輸送層／電子注入層などの構造を有することができるが、それらに限定されるものではない。
【０１７７】
電子輸送領域（例えば、電子輸送領域における、バッファ層、正孔阻止層、電子調節層または電子輸送層）は、π電子欠乏性含窒素環を少なくとも一つ含む金属非含有化合物を含んでもよい。
【０１７８】
「π電子欠乏性含窒素環」は、環形成モイエティであり、少なくとも１つの＊−Ｎ＝＊’モイエティを有するＣ１−Ｃ６０ヘテロ環式基を意味する。
【０１７９】
例えば、「π電子欠乏性含窒素環」は、ｉ）少なくとも１つの＊−Ｎ＝＊’モイエティを有する５員環〜７員環のヘテロ単環式基であるか、ｉｉ）少なくとも１つの＊−Ｎ＝＊’モイエティを有する５員環〜７員環のヘテロ単環式基のうち２以上が互いに縮合されているヘテロ多環式基であるか、あるいはｉｉｉ）少なくとも１つの＊−Ｎ＝＊’モイエティを有する５員環〜７員環のヘテロ単環式基のうち少なくとも一つと、少なくとも１つのＣ５−Ｃ６０炭素環式基とが互いに縮合されているヘテロ多環式基であってもよい。
【０１８０】
π電子欠乏性含窒素環の具体例としては、イミダゾール、ピラゾール、チアゾール、イソチアゾール、オキサゾール、イソオキサゾール、ピリジン、ピラジン、ピリミジン、ピリダジン、インダゾール、プリン、キノリン、イソキノリン、ベンゾキノリン、フタラジン、ナフチリジン、キノキサリン、キナゾリン、シンノリン、フェナントリジン、アクリジン、フェナントロリン、フェナジン、ベンゾイミダゾール、イソベンゾチアゾール、ベンゾオキサゾール、イソベンゾオキサゾール、トリアゾール、テトラゾール、オキサジアゾール、トリアジン、チアジアゾール、イミダゾピリジン、イミダゾピリミジン、アザカルバゾールなどを挙げることができるが、それらに限定されるものではない。
【０１８１】
例えば、電子輸送領域は、下記化学式６０１で表示される化合物を含んでもよい。
［Ａｒ６０１］ｘｅ１１−［（Ｌ６０１）ｘｅ１−Ｒ６０１］ｘｅ２１  ．．．  ６０１
【０１８２】
化学式６０１で、
Ａｒ６０１は、置換もしくは無置換のＣ５−Ｃ６０炭素環式基、または置換もしくは無置換のＣ１−Ｃ６０ヘテロ環式基であり、
ｘｅ１１は、１、２または３であり、
Ｌ６０１は、置換もしくは無置換のＣ３−Ｃ１０シクロアルキレン基、置換もしくは無置換のＣ１−Ｃ１０ヘテロシクロアルキレン基、置換もしくは無置換のＣ３−Ｃ１０シクロアルケニレン基、置換もしくは無置換のＣ１−Ｃ１０ヘテロシクロアルケニレン基、置換もしくは無置換のＣ６−Ｃ６０アリーレン基、置換もしくは無置換のＣ１−Ｃ６０ヘテロアリーレン基、置換もしくは無置換の二価非芳香族縮合多環基、及び置換もしくは無置換の二価非芳香族ヘテロ縮合多環基のうちから選択され、
ｘｅ１は、０〜５の整数のうちから選択され、
Ｒ６０１は、置換もしくは無置換のＣ３−Ｃ１０シクロアルキル基、置換もしくは無置換のＣ１−Ｃ１０ヘテロシクロアルキル基、置換もしくは無置換のＣ３−Ｃ１０シクロアルケニル基、置換もしくは無置換のＣ１−Ｃ１０ヘテロシクロアルケニル基、置換もしくは無置換のＣ６−Ｃ６０アリール基、置換もしくは無置換のＣ６−Ｃ６０アリールオキシ基、置換もしくは無置換のＣ６−Ｃ６０アリールチオ基、置換もしくは無置換のＣ１−Ｃ６０ヘテロアリール基、置換もしくは無置換の一価非芳香族縮合多環基、置換もしくは無置換の一価非芳香族ヘテロ縮合多環基、−Ｓｉ（Ｑ６０１）（Ｑ６０２）（Ｑ６０３）、−Ｃ（＝Ｏ）（Ｑ６０１）、−Ｓ（＝Ｏ）２（Ｑ６０１）及び−Ｐ（＝Ｏ）（Ｑ６０１）（Ｑ６０２）のうちから選択され、
Ｑ６０１〜Ｑ６０３は、互いに独立して、Ｃ１−Ｃ１０アルキル基、Ｃ１−Ｃ１０アルコキシ基、フェニル基、ビフェニリル基、ターフェニル基またはナフチル基であり、
ｘｅ２１は、１〜５の整数のうちから選択される。
【０１８３】
一実施形態によれば、ｘｅ１１個のＡｒ６０１、及びｘｅ２１個のＲ６０１で、少なくとも一つは、前述のようなπ電子欠乏性含窒素環を含んでもよい。
【０１８４】
一実施形態によれば、化学式６０１で環Ａｒ６０１は、
ベンゼン、ナフタレン、フルオレン、スピロ−ビフルオレン、ベンゾフルオレン、ジベンゾフルオレン、フェナレン、フェナントレン、アントラセン、フルオランテン、トリフェニレン、ピレン、クリセン、ナフタセン、ピセン、ペリレン、ペンタフェン、インデノアントラセン、ジベンゾフラン、ジベンゾチオフェン、カルバゾール、イミダゾール、ピラゾール、チアゾール、イソチアゾール、オキサゾール、イソオキサゾール、ピリジン、ピラジン、ピリミジン基、ピリダジン、インダゾール、プリン、キノリン、イソキノリン、ベンゾキノリン、フタラジン、ナフチリジン、キノキサリン、キナゾリン、シンノリン、フェナントリジン、アクリジン、フェナントロリン、フェナジン、ベンゾイミダゾール、イソベンゾチアゾール、ベンゾオキサゾール、イソベンゾオキサゾール、トリアゾール、テトラゾール、オキサジアゾール、トリアジン、チアジアゾール、イミダゾピリジン、イミダゾピリミジン及びアザカルバゾール；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ターフェニル基、ナフチル基、−Ｓｉ（Ｑ３１）（Ｑ３２）（Ｑ３３）、−Ｓ（＝Ｏ）２（Ｑ３１）及び−Ｐ（＝Ｏ）（Ｑ３１）（Ｑ３２）のうちから選択された少なくとも一つで置換された、ベンゼン、ナフタレン、フルオレン、スピロ−ビフルオレン、ベンゾフルオレン、ジベンゾフルオレン、フェナレン、フェナントレン、アントラセン、フルオランテン、トリフェニレン、ピレン、クリセン、ナフタセン、ピセン、ペリレン、ペンタフェン、インデノアントラセン、ジベンゾフラン、ジベンゾチオフェン、カルバゾール、イミダゾール、ピラゾール、チアゾール、イソチアゾール、オキサゾール、イソオキサゾール、ピリジン、ピラジン、ピリミジン、ピリダジン、インダゾール、プリン、キノリン、イソキノリン、ベンゾキノリン、フタラジン、ナフチリジン、キノキサリン、キナゾリン、シンノリン、フェナントリジン、アクリジン、フェナントロリン、フェナジン、ベンゾイミダゾール、イソベンゾチアゾール、ベンゾオキサゾール、イソベンゾオキサゾール、トリアゾール基、テトラゾール、オキサジアゾール、トリアジン、チアジアゾール、イミダゾピリジン、イミダゾピリミジン及びアザカルバゾール；のうちからも選択されてもよく、
Ｑ３１〜Ｑ３３は、互いに独立して、Ｃ１−Ｃ１０アルキル基、Ｃ１−Ｃ１０アルコキシ基、フェニル基、ビフェニリル基、ターフェニリル基及びナフチル基のうちからも選択されてもよい。
【０１８５】
化学式６０１で、ｘｅ１１が２以上である場合、２以上のＡｒ６０１は、単結合を介しても互いに連結されてもよい。
【０１８６】
他の実施形態によれば、化学式６０１でＡｒ６０１は、アントラセン基であってもよい。
【０１８７】
さらに他の実施形態によれば、６０１で表示される化合物は、下記化学式６０１−１でも表示されてもよい。
【化３１】
2020136256.tif 000093
．．．  ６０１−１
【０１８８】
化学式６０１−１で、
Ｘ６１４は、ＮまたはＣ（Ｒ６１４）であり、Ｘ６１５は、ＮまたはＣ（Ｒ６１５）であり、Ｘ６１６は、ＮまたはＣ（Ｒ６１６）であり、Ｘ６１４〜Ｘ６１６のうち少なくとも一つは、Ｎであり、
Ｌ６１１〜Ｌ６１３は、互いに独立して、Ｌ６０１についての説明を参照し、
ｘｅ６１１〜ｘｅ６１３は、互いに独立して、ｘｅ１についての説明を参照し、
Ｒ６１１〜Ｒ６１３は、互いに独立して、Ｒ６０１についての説明を参照し、
Ｒ６１４〜Ｒ６１６は、互いに独立して、水素、重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ターフェニリル基及びナフチル基のうちからも選択されてもよい。
【０１８９】
一実施形態によれば、化学式６０１及び６０１−１で、Ｌ６０１、及びＬ６１１〜Ｌ６１３は、互いに独立して、
フェニレン基、ナフチレン基、フルオレニレン基、スピロ−ビフルオレニレン基、ベンゾフルオレニレン基、ジベンゾフルオレニレン基、フェナントレニレン基、アントラセニレン基、フルオランテニレン基、トリフェニレニレン基、ピレニレン基、クリセニレン基、ペリレニレン基、ペンタフェニレン基、ヘキサセニレン基、ペンタセニレン基、チオフェニレン基、フラニレン基、カルバゾリレン基、インドリレン基、イソインドリレン基、ベンゾフラニレン基、ベンゾチオフェニレン基、ジベンゾフラニレン基、ジベンゾチオフェニレン基、ベンゾカルバゾリレン基、ジベンゾカルバゾリレン基、ジベンゾシロリレン基、ピリジニレン基、イミダゾリレン基、ピラゾリレン基、チアゾリレン基、イソチアゾリレン基、オキサゾリレン基、イソキサゾリレン基、チアジアゾリレン基、オキサジアゾリレン基、ピラジニレン基、ピリミジニレン基、ピリダジニレン基、トリアジニレン基、キノリニレン基、イソキノリニレン基、ベンゾキノリニレン基、フタラジニレン基、ナフチリジニレン基、キノキサリニレン基、キナゾリニレン基、シンノリニレン基、フェナントリジニレン基、アクリジニレン基、フェナントロリニレン基、フェナジニレン基、ベンゾイミダゾリレン基、イソベンゾチアゾリレン基、ベンゾオキサゾリレン基、イソベンゾオキサゾリレン基、トリアゾリレン基、テトラゾリレン基、イミダゾピリジニレン基、イミダゾピリミジニレン基及びアザカルバゾリレン基；並びに
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ターフェニリル基、ナフチル基、フルオレニル基、スピロ−ビフルオレニル基、ベンゾフルオレニル基、ジベンゾフルオレニル基、フェナントレニル基、アントラセニル基、フルオランテニル基、トリフェニレニル基、ピレニル基、クリセニル基、ペリレニル基、ペンタフェニル基、ヘキサセニル基、ペンタセニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基、イミダゾリル基、ピラゾリル基、チアゾリル基、イソチアゾリル基、オキサゾリル基、イソオキサゾリル基、チアジアゾリル基、オキサジアゾリル基、ピラジニル基、ピリミジニル基、ピリダジニル基、トリアジニル基、キノリニル基、イソキノリニル基、ベンゾキノリニル基、フタラジニル基、ナフチリジニル基、キノキサリニル基、キナゾリニル基、シンノリニル基、フェナントリジニル基、アクリジニル基、フェナントロリニル基、フェナジニル基、ベンゾイミダゾリル基、イソベンゾチアゾリル基、ベンゾオキサゾリル基、イソベンゾオキサゾリル基、トリアゾリル基、テトラゾリル基、イミダゾピリジニル基、イミダゾピリミジニル基及びアザカルバゾリル基のうちから選択された少なくとも一つで置換された、フェニレン基、ナフチレン基、フルオレニレン基、スピロ−ビフルオレニレン基、ベンゾフルオレニレン基、ジベンゾフルオレニレン基、フェナントレニレン基、アントラセニレン基、フルオランテニレン基、トリフェニレニレン基、ピレニレン基、クリセニレン基、ペリレニレン基、ペンタフェニレン基、ヘキサセニレン基、ペンタセニレン基、チオフェニレン基、フラニレン基、カルバゾリレン基、インドリレン基、イソインドリレン基、ベンゾフラニレン基、ベンゾチオフェニレン基、ジベンゾフラニレン基、ジベンゾチオフェニレン基、ベンゾカルバゾリレン基、ジベンゾカルバゾリレン基、ジベンゾシロリレン基、ピリジニレン基、イミダゾリレン基、ピラゾリレン基、チアゾリレン基、イソチアゾリレン基、オキサゾリレン基、イソキサゾリレン基、チアジアゾリレン基、オキサジアゾリレン基、ピラジニレン基、ピリミジニレン基、ピリダジニレン基、トリアジニレン基、キノリニレン基、イソキノリニレン基、ベンゾキノリニレン基、フタラジニレン基、ナフチリジニレン基、キノキサリニレン基、キナゾリニレン基、シンノリニレン基、フェナントリジニレン基、アクリジニレン基、フェナントロリニレン基、フェナジニレン基、ベンゾイミダゾリレン基、イソベンゾチアゾリレン基、ベンゾオキサゾリレン基、イソベンゾオキサゾリレン基、トリアゾリレン基、テトラゾリレン基、イミダゾピリジニレン基、イミダゾピリミジニレン基及びアザカルバゾリレン基；のうちからも選択されてもよく、それらに限定されるものではない。
【０１９０】
他の実施形態によれば、化学式６０１及び６０１−１で、ｘｅ１及びｘｅ６１１〜ｘｅ６１３は、互いに独立して、０、１または２でもあってもよい。
【０１９１】
さらに他の実施形態によれば、化学式６０１及び６０１−１で、Ｒ６０１、及びＲ６１１〜Ｒ６１３は、互いに独立して、
フェニル基、ビフェニリル基、ターフェニリル基、ナフチル基、フルオレニル基、スピロ−ビフルオレニル基、ベンゾフルオレニル基、ジベンゾフルオレニル基、フェナントレニル基、アントラセニル基、フルオランテニル基、トリフェニレニル基、ピレニル基、クリセニル基、ペリレニル基、ペンタフェニル基、ヘキサセニル基、ペンタセニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基、イミダゾリル基、ピラゾリル基、チアゾリル基、イソチアゾリル基、オキサゾリル基、イソオキサゾリル基、チアジアゾリル基、オキサジアゾリル基、ピラジニル基、ピリミジニル基、ピリダジニル基、トリアジニル基、キノリニル基、イソキノリニル基、ベンゾキノリニル基、フタラジニル基、ナフチリジニル基、キノキサリニル基、キナゾリニル基、シンノリニル基、フェナントリジニル基、アクリジニル基、フェナントロリニル基、フェナジニル基、ベンゾイミダゾリル基、イソベンゾチアゾリル基、ベンゾオキサゾリル基、イソベンゾオキサゾリル基、トリアゾリル基、テトラゾリル基、イミダゾピリジニル基、イミダゾピリミジニル基及びアザカルバゾリル基；
重水素、−Ｆ、−Ｃｌ、−Ｂｒ、−Ｉ、ヒドロキシル基、シアノ基、ニトロ基、アミジノ基、ヒドラジノ基、ヒドラゾノ基、Ｃ１−Ｃ２０アルキル基、Ｃ１−Ｃ２０アルコキシ基、フェニル基、ビフェニリル基、ターフェニリル基、ナフチル基、フルオレニル基、スピロ−ビフルオレニル基、ベンゾフルオレニル基、ジベンゾフルオレニル基、フェナントレニル基、アントラセニル基、フルオランテニル基、トリフェニレニル基、ピレニル基、クリセニル基、ペリレニル基、ペンタフェニル基、ヘキサセニル基、ペンタセニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基、イミダゾリル基、ピラゾリル基、チアゾリル基、イソチアゾリル基、オキサゾリル基、イソオキサゾリル基、チアジアゾリル基、オキサジアゾリル基、ピラジニル基、ピリミジニル基、ピリダジニル基、トリアジニル基、キノリニル基、イソキノリニル基、ベンゾキノリニル基、フタラジニル基、ナフチリジニル基、キノキサリニル基、キナゾリニル基、シンノリニル基、フェナントリジニル基、アクリジニル基、フェナントロリニル基、フェナジニル基、ベンゾイミダゾリル基、イソベンゾチアゾリル基、ベンゾオキサゾリル基、イソベンゾオキサゾリル基、トリアゾリル基、テトラゾリル基、イミダゾピリジニル基、イミダゾピリミジニル基及びアザカルバゾリル基のうちから選択された少なくとも一つで置換された、フェニル基、ビフェニリル基、ターフェニリル基、ナフチル基、フルオレニル基、スピロ−ビフルオレニル基、ベンゾフルオレニル基、ジベンゾフルオレニル基、フェナントレニル基、アントラセニル基、フルオランテニル基、トリフェニレニル基、ピレニル基、クリセニル基、ペリレニル基、ペンタフェニル基、ヘキサセニル基、ペンタセニル基、チオフェニル基、フラニル基、カルバゾリル基、インドリル基、イソインドリル基、ベンゾフラニル基、ベンゾチオフェニル基、ジベンゾフラニル基、ジベンゾチオフェニル基、ベンゾカルバゾリル基、ジベンゾカルバゾリル基、ジベンゾシロリル基、ピリジニル基、イミダゾリル基、ピラゾリル基、チアゾリル基、イソチアゾリル基、オキサゾリル基、イソオキサゾリル基、チアジアゾリル基、オキサジアゾリル基、ピラジニル基、ピリミジニル基、ピリダジニル基、トリアジニル基、キノリニル基、イソキノリニル基、ベンゾキノリニル基、フタラジニル基、ナフチリジニル基、キノキサリニル基、キナゾリニル基、シンノリニル基、フェナントリジニル基、アクリジニル基、フェナントロリニル基、フェナジニル基、ベンゾイミダゾリル基、イソベンゾチアゾリル基、ベンゾオキサゾリル基、イソベンゾオキサゾリル基、トリアゾリル基、テトラゾリル基、イミダゾピリジニル基、イミダゾピリミジニル基及びアザカルバゾリル基；並びに
−Ｓｉ（Ｑ６０１）（Ｑ６０２）（Ｑ６０３）、−Ｓ（＝Ｏ）２（Ｑ６０１）及び−Ｐ（＝Ｏ）（Ｑ６０１）（Ｑ６０２）；のうちから選択され、
Ｑ６０１〜Ｑ６０３についての説明は、本明細書に記載されたところを参照する。
【０１９２】
電子輸送領域は、下記化合物ＥＴ１〜ＥＴ３６のうちから選択された少なくとも１つの化合物を含んでもよいが、それらに限定されるものではない。
【化３２】
2020136256.tif 000094
2020136256.tif 000095
2020136256.tif 000096
2020136256.tif 000097
2020136256.tif 000098
2020136256.tif 000099
2020136256.tif 000100
2020136256.tif 000101
2020136256.tif 000102
2020136256.tif 000103
2020136256.tif 000104
2020136256.tif 000105
【０１９３】
または、電子輸送領域は、２，９−ジメチル−４，７−ジフェニル−１，１０−フェナントロリン（ＢＣＰ）、４，７−ジフェニル−１，１０−フェナントロリン（Ｂｐｈｅｎ）、Ａｌｑ３、ＢＡｌｑ、３−（ビフェニル−４−イル）−５−（４−ｔｅｒｔ−ブチルフェニル）−４−フェニル−４Ｈ−１，２，４−トリアゾール（ＴＡＺ）及びＮＴＡＺのうちから選択された少なくとも１つの化合物を含んでもよい。
【化３３】
2020136256.tif 000106
2020136256.tif 000107
2020136256.tif 000108
2020136256.tif 000109
【０１９４】
バッファ層、正孔阻止層または電子調節層の厚みは、互いに独立して、約２ｎｍ〜約１００ｎｍ、例えば、約３ｎｍ〜約３０ｎｍであってもよい。バッファ層、正孔阻止層または電子調節層の厚みが前述のような範囲を満足する場合、実質的な駆動電圧の上昇なしに、優秀な正孔阻止特性または電子調節特性を得ることができる。
【０１９５】
電子輸送層の厚みは、約１０ｎｍ〜約１００ｎｍ、例えば、約１５ｎｍ〜約５０ｎｍであってもよい。電子輸送層の厚みが前述のような範囲を満足する場合、実質的な駆動電圧の上昇なしに、満足すべき電子輸送特性を得ることができる。
【０１９６】
電子輸送領域（例えば、電子輸送領域における電子輸送層）は、前述のような物質以外に、金属含有物質をさらに含んでもよい。
【０１９７】
金属含有物質は、アルカリ金属錯体及びアルカリ土類金属錯体のうちから選択された少なくとも一つを含んでもよい。アルカリ金属錯体の金属イオンは、Ｌｉイオン、Ｎａイオン、Ｋイオン、Ｒｂイオン及びＣｓイオンのうちからも選択され、アルカリ土類金属錯体の金属イオンは、Ｂｅイオン、Ｍｇイオン、Ｃａイオン、Ｓｒイオン及びＢａイオンのうちからも選択される。アルカリ金属錯体及びアルカリ土類金属錯体の金属イオンに配位されたリガンドは、互いに独立して、ヒドロキシキノリン、ヒドロキシイソキノリン、ヒドロキシベンゾキノリン、ヒドロキシアクリジン、ヒドロキシフェナントリジン、ヒドロキシフェニルオキサゾール、ヒドロキシフェニルチアゾール、ヒドロキシジフェニルオキサジアゾール、ヒドロキシジフェニルチアジアゾール、ヒドロキシフェニルピリジン、ヒドロキシフェニルベンゾイミダゾール、ヒドロキシフェニルベンゾチアゾール、ビピリジン、フェナントロリン及びシクロペンタジエンのうちからも選択されてもよく、それらに限定されるものではない。
【０１９８】
例えば、金属含有物質は、Ｌｉ錯体を含んでもよい。Ｌｉ錯体は、例えば、下記化合物ＥＴ−Ｄ１（リチウムキノレート（ＬｉＱ））またはＥＴ−Ｄ２を含んでもよい。
【化３４】
2020136256.tif 000110
【０１９９】
電子輸送領域は、カソード１９０からの電子注入を容易くする電子注入層を含んでもよい。電子注入層は、カソード１９０と直接（ｄｉｒｅｃｔｌｙ）接触することができる。
【０２００】
電子注入層は、ｉ）単一の物質からなる単一の層からなる単層構造、ｉｉ）複数の互いに異なる物質からなる単一の層からなる単層構造、あるいはｉｉｉ）複数の互いに異なる物質からなる複層を有する多層構造を有することができる。
【０２０１】
電子注入層は、アルカリ金属、アルカリ土類金属、希土類金属、アルカリ金属化合物、アルカリ土類金属化合物、希土類金属化合物、アルカリ金属錯体、アルカリ土類金属錯体、希土類金属錯体、またはそれらのうち任意の組み合わせを含んでもよい。
【０２０２】
アルカリ金属は、Ｌｉ、Ｎａ、Ｋ、Ｒｂ及びＣｓのうちからも選択される。一実施形態によれば、アルカリ金属は、Ｌｉ、ＮａまたはＣｓであってもよい。他の実施例によれば、アルカリ金属は、ＬｉまたはＣｓでもあってもよく、それらに限定されるものではない。
【０２０３】
アルカリ土類金属は、Ｍｇ、Ｃａ、Ｓｒ、及びＢａのうちからも選択されてもよい。
【０２０４】
希土類金属は、Ｓｃ、Ｙ、Ｃｅ、Ｔｂ、Ｙｂ及びＧｄのうちからも選択されてもよい。
【０２０５】
アルカリ金属化合物、アルカリ土類金属化合物及び希土類金属化合物は、アルカリ金属、アルカリ土類金属及び希土類金属の酸化物及びハロゲン化物（例えば、フッ化物、塩化物、臭化物、ヨウ化物など）のうちからも選択されてもよい。
【０２０６】
アルカリ金属化合物は、Ｌｉ２Ｏ、Ｃｓ２Ｏ、Ｋ２Ｏのようなアルカリ金属酸化物、及びＬｉＦ、ＮａＦ、ＣｓＦ、ＫＦ、ＬｉＩ、ＮａＩ、ＣｓＩ、ＫＩ、ＲｂＩのようなアルカリ金属ハロゲン化物のうちからも選択される。一実施形態によれば、アルカリ金属化合物は、ＬｉＦ、Ｌｉ２Ｏ、ＮａＦ、ＬｉＩ、ＮａＩ、ＣｓＩ、ＫＩのうちからも選択されてもよく、それらに限定されるものではない。
【０２０７】
アルカリ土類金属化合物は、ＢａＯ、ＳｒＯ、ＣａＯ、ＢａｘＳｒ１−ｘＯ（０＜ｘ＜１）、ＢａｘＣａ１−ｘＯ（０＜ｘ＜１）のようなアルカリ土類金属化合物のうちからも選択される。一実施形態によれば、アルカリ土類金属化合物は、ＢａＯ、ＳｒＯ及びＣａＯのうちからも選択されてもよく、それらに限定されるものではない。
【０２０８】
希土類金属化合物は、ＹｂＦ３、ＳｃＦ３、ＳｃＯ３、Ｙ２Ｏ３、Ｃｅ２Ｏ３、ＧｄＦ３及びＴｂＦ３のうちからも選択されてもよい。一実施形態によれば、希土類金属化合物は、ＹｂＦ３、ＳｃＦ３、ＴｂＦ３、ＹｂＩ３、ＳｃＩ３、ＴｂＩ３のうちからも選択されてもよく、それらに限定されるものではない。
【０２０９】
前述のアルカリ金属錯体、アルカリ土類金属錯体及び希土類金属錯体は、前述のようなアルカリ金属、アルカリ土類金属及び希土類金属のイオンを含み、前述のアルカリ金属錯体、アルカリ土類金属錯体及び希土類金属錯体の金属イオンに配位されたリガンドは、互いに独立して、ヒドロキシキノリン、ヒドロキシイソキノリン、ヒドロキシベンゾキノリン、ヒドロキシアクリジン、ヒドロキシフェナントリジン、ヒドロキシフェニルオキサゾール、ヒドロキシフェニルチアゾール、ヒドロキシジフェニルオキサジアゾール、ヒドロキシジフェニルチアジアゾール、ヒドロキシフェニルピリジン、ヒドロキシフェニルベンゾイミダゾール、ヒドロキシフェニルベンゾチアゾール、ビピリジン、フェナントロリン及びシクロペンタジエンのうちからも選択されてもよく、それらに限定されるものではない。
【０２１０】
電子注入層は、前述のようなアルカリ金属、アルカリ土類金属、希土類金属、アルカリ金属化合物、アルカリ土類金属化合物、希土類金属化合物、アルカリ金属錯体、アルカリ土類金属錯体、希土類金属錯体、またはそれらのうち任意の組み合わせだけからなるか、あるいは有機物をさらに含んでもよい。電子注入層が有機物をさらに含む場合、前述のアルカリ金属、アルカリ土類金属、希土類金属、アルカリ金属化合物、アルカリ土類金属化合物、希土類金属化合物、アルカリ金属錯体、アルカリ土類金属錯体、希土類金属錯体、またはそれらのうち任意の組み合わせは、有機物からなるマトリックスに均一に分散していてもよく、不均一に分散していてもよい。
【０２１１】
電子注入層の厚みは、約０．１ｎｍ〜約１０ｎｍ、約０．３ｎｍ〜約９ｎｍであってもよい。電子注入層の厚みが前述のような範囲を満足する場合、実質的な駆動電圧の上昇なしに、満足すべき電子注入特性を得ることができる。
【０２１２】
一実施形態によれば、正孔輸送領域は、正孔輸送材料を含み、第１ホストは、電子輸送性モイエティを含んでいない正孔輸送性ホストを含み、正孔輸送の材料は、第１ホストと同一である。
【０２１３】
他の実施形態によれば、正孔輸送領域は、正孔輸送材料を含む正孔輸送層と、電子阻止材料を含む電子阻止層とを含み、第１発光層と電子阻止層は、直接接触し、第１ホストは、電子輸送性モイエティを含んでいない正孔輸送性ホストを含み、正孔輸送の材料、及び／または電子阻止の材料と同一である。
【０２１４】
また、一実施形態によれば、電子輸送領域は、電子輸送材料を含み、第２ホストは、少なくとも１つの電子輸送性モイエティを含む電子輸送性ホストを含み、電子輸送材料は、第２ホストと同一である。
【０２１５】
他の実施形態によれば、電子輸送領域は、電子輸送材料を含む電子輸送層と、正孔阻止材料を含む正孔阻止層と、を含み、第１発光層と電子阻止層は、直接接触し、第１ホストは、少なくとも１つの電子輸送性モイエティを含む電子輸送性ホストを含み、電子輸送の材料及び／または正孔阻止の材料と同一である。
【０２１６】
さらに他の実施形態による有機発光素子は、アノードと第１発光層との間に介在され、第１発光層と直接接触する第２励起子消光層をさらに含み、
第２励起子消光層は、第２消光物質を含み、
ホスト、ドーパント及び第２消光物質は、下記数式（２−１）及び数式（２−２）を満足することができる。
Ｔ１（Ｑ２）≦Ｔ１（Ｈ１）          （２−１）
Ｔ１（Ｑ２）≦Ｔ１（Ｄ１）          （２−２）
【０２１７】
数式（２−１）及び数式（２−２）で、
Ｔ１（Ｑ２）は、第２消光物質の最低励起三重項エネルギーレベルであり、
Ｔ１（Ｈ１）は、第１ホストの最低励起三重項エネルギーレベルであり、
Ｔ１（Ｄ１）は、第１ドーパントの最低励起三重項エネルギーレベルである。
【０２１８】
他の実施形態による有機発光素子は、カソードと第２発光層との間に介在され、第２発光層と直接接触する第３励起子消光層をさらに含み、第３励起子消光層は、第３消光物質を含み、ホスト、ドーパント及び第３消光物質は、下記数式（３−１）及び数式（３−２）を満足することができる。
Ｔ１（Ｑ３）≦Ｔ１（Ｈ２）          （３−１）
Ｔ１（Ｑ３）≦Ｔ１（Ｄ２）          （３−２）
【０２１９】
数式（３−１）及び数式（３−２）で、
Ｔ１（Ｑ３）は、第３消光物質の最低励起三重項エネルギーレベルであり、
Ｔ１（Ｈ２）は、第２ホストの最低励起三重項エネルギーレベルであり、
Ｔ１（Ｄ２）は、第２ドーパントの最低励起三重項エネルギーレベルである。
【０２２０】
第２励起子消光層は、第４ホストをさらに含むか、あるいは第４ホスト及び第４ドーパントをさらに含んでもよい。
【０２２１】
第３励起子消光層は、第５ホストをさらに含むか、あるいは第５ホスト及び第５ドーパントをさらに含んでもよい。
【０２２２】
第４ホスト及び第５ホストについての説明は、前述の第３ホストについての説明が適用される。
【０２２３】
第４ドーパント及び第５ドーパントについての説明は、前述の第３ドーパントについての説明が適用される。
【０２２４】
また、一実施形態によれば、第３励起子消光層の厚み（ＤＱ３）と第２発光層の厚み（ＤＥ）は、ＤＥ≧ＤＱ３であってもよい。
【０２２５】
一実施形態によれば、有機層は、アノードと第２励起子消光層との間に介在された正孔輸送層または電子阻止層を含み、第２励起子消光層と、正孔輸送層または電子阻止層は、直接接触するものであってもよい。
【０２２６】
他の実施形態によれば、有機層は、カソードと第３励起子消光層との間に介在された電子輸送層または正孔阻止層を含み、第３励起子消光層と、電子輸送層または正孔阻止層は、直接接触するものであってもよい。
【０２２７】
前述のような有機層１５０の上部には、カソード１９０が配置されている。カソード１９０用物質としては、低い仕事関数を有する金属、合金、電気伝導性化合物、及びそれらの組み合わせ（ｃｏｍｂｉｎａｔｉｏｎ）を使用することができる。
【０２２８】
カソード１９０は、リチウム（Ｌｉ）、銀（Ａｇ）、マグネシウム（Ｍｇ）、アルミニウム（Ａｌ）、アルミニウム−リチウム（Ａｌ−Ｌｉ）、カルシウム（Ｃａ）、マグネシウム−インジウム（Ｍｇ−Ｉｎ）、マグネシウム−銀（Ｍｇ−Ａｇ）、ＩＴＯ及びＩＺＯのうちから選択された少なくとも一つを含んでもよいが、それらに限定されるものではない。カソード１９０は、透過型電極、半透過型電極または反射型電極であってもよい。
【０２２９】
カソード１９０は、単一の層である単層構造、または複層を有する多層構造を有することができる。
【０２３０】
図１のアノード１１０の下部（有機層と接しない一面）、または１９０の上部（有機層と接しない一面）には、基板が追加しても配置される。基板としては、機械的強度、熱安定性、透明性、表面平滑性、取り扱い容易性及び防水性にすぐれるガラス基板またはプラスチック基板を使用することができる。
【０２３１】
一方、有機発光素子１０は、光が取り出される方向に位置したキャッピング層をさらに含んでもよい。キャッピング層は、補強干渉の原理により、外部発光効率を向上させる役割を行うことができる。
【０２３２】
キャッピング層は互いに独立して、有機物からなる有機キャッピング層、無機物からなる無機キャッピング層、または有機物及び無機物を含む複合キャッピング層であってもよい。
【０２３３】
キャッピング層は、炭素環式化合物、ヘテロ環式化合物、アミン系化合物、ポルフィン誘導体（ｐｏｒｐｈｉｎｅ  ｄｅｒｉｖａｔｉｖｅｓ）、フタロシアニン誘導体（ｐｈｔｈａｌｏｃｙａｎｉｎｅ  ｄｅｒｉｖａｔｉｖｅｓ）、ナフタロシアニン誘導体（ｎａｐｈｔａｌｏｃｙａｎｉｎｅ  ｄｅｒｉｖａｔｉｖｅｓ）、アルカリ金属錯体及びアルカリ土類金属錯体のうちから選択された少なくとも１つの物質を含んでもよい。炭素環式化合物、ヘテロ環式化合物及びアミン系化合物は、選択的に、Ｏ、Ｎ、Ｓ、Ｓｅ、Ｓｉ、Ｆ、Ｃｌ、Ｂｒ及びＩのうちから選択された少なくとも１つの元素を含む置換基でも置換される。
【０２３４】
一実施形態によれば、キャッピング層は、アミン系化合物を含んでもよい。
【０２３５】
他の実施形態によれば、キャッピング層は、化学式２０１で表示される化合物、または化学式２０２で表示される化合物を含んでもよい。
【０２３６】
さらに他の実施形態によれば、キャッピング層は、化合物ＨＴ２８〜ＨＴ３３、及び下記化合物ＣＰ１〜ＣＰ５のうちから選択された化合物を含んでもよいが、それらに限定されるものではない。
【化３５】
2020136256.tif 000111
【０２３７】
以上、有機発光素子について、図１を参照して説明したが、それに限定されるものではない。
【０２３８】
正孔輸送領域に含まれた各層、発光層及び電子輸送領域に含まれた各層は、それぞれ、真空蒸着法、スピンコーティング法、キャスト法、ＬＢ（Ｌａｎｇｍｕｉｒ−Ｂｌｏｄｇｅｔｔ）法、インクジェットプリンティング法、レーザプリンティング法、レーザ熱転写（ＬＩＴＩ：ｌａｓｅｒ  ｉｎｄｕｃｅｄ  ｔｈｅｒｍａｌ  ｉｍａｇｉｎｇ）法のような多様な方法を利用し、所定領域に形成される。
【０２３９】
真空蒸着法により、正孔輸送領域に含まれた各層、発光層、及び電子輸送領域に含まれた各層をそれぞれ形成する場合、蒸着条件は、例えば、約１００℃〜約５００℃の蒸着温度、約１０−８ｔｏｒｒ〜約１０−３ｔｏｒｒの真空度、及び約０．００１ｎｍ／ｓｅｃ〜約１０ｎｍ／ｓｅｃの蒸着速度の範囲内で、形成しようとする層に含まれる材料、及び形成しようとする層の構造を考慮しても選択されてもよい。
【０２４０】
スピンコーティング法により、正孔輸送領域に含まれた各層、発光層、及び電子輸送領域に含まれた各層をそれぞれ形成する場合、コーティング条件は、例えば、約２，０００ｒｐｍ〜約５，０００ｒｐｍのコーティング速度、及び約８０℃〜２００℃の熱処理温度の範囲内で、形成しようとする層に含まれる材料、及び形成しようとする層の構造を考慮しても選択されてもよい。
【実施例】
【０２４１】
以下において、実施例を挙げ、本発明の一実施形態による有機発光素子についてさらに具体的に説明する。下記実施例において、「Ａの代わりにＢを使用した」という表現において、Ａのモル当量とＢのモル当量は、互いに同一である。
【０２４２】
［評価例１：Ｔ１エネルギーレベルの測定］
化合物ＱＤ−１及びＰＤ−１に対して、トルエンと各化合物との混合物（トルエン３ｍＬに各化合物１ｍｇを溶かす）を石英セルに入れた後、液体窒素（７７Ｋ）に入れ、フォトルミネセンス測定機器を利用し、フォトルミネセンススペクトルを測定し、それを一般常温フォトルミネセンススペクトルと比較し、低温でのみ観測されるピークだけを分析し、そこからＴ１エネルギーレベルを測定し、その結果を下記表１に示した。
【０２４３】
【表１】
2020136256.tif 000112
＜ＱＤ−１＞
【化３６】
2020136256.tif 000113
＜ＰＤ−１＞
【化３７】
2020136256.tif 000114
【０２４４】
表１を参照し、化合物ＱＤ−１は、Ｔ１エネルギーレベルが低いということを確認した。
【０２４５】
［実施例１］
コーニング（Ｃｏｒｎｉｎｇ）１５Ω／ｃｍ２（１，２００Å）ＩＴＯガラス基板（アノード）を、５０ｍｍｘ５０ｍｍｘ０．７ｍｍサイズに切り、イソプロピルアルコールと純水とを利用し、それぞれ５分間超音波洗浄した後、３０分間紫外線を照射してオゾンに露出させ、洗浄し、真空蒸着装置にガラス基板を設置した。
【０２４６】
ガラス基板上に、ＨＴ１８＋ＭｏＯｘ（ｘ＝２〜４、１０％ドーピング）、及び化学式２２１で表示される化合物を、１０ｎｍ厚に真空蒸着し、正孔注入層を形成した後、次に、ＨＴ１８を７０ｎｍの厚みに真空蒸着し、正孔輸送層を形成した。
【０２４７】
正孔輸送層上に、ＴＣＴＡを５ｎｍ厚みに真空蒸着し、電子阻止層を形成した。
【０２４８】
電子阻止層上に、化合物ＨＴ−１及び化合物ＥＴ−３をコホスト（重量比１：１）とし、化合物ＰＤ−１をドーパント（１０重量％）として同時蒸着し、１２．５ｎｍ厚の第１発光層を形成した。
【０２４９】
第１発光層上に、化合物ＨＴ−１及び化合物ＥＴ−３をコホスト（重量比１：１）とし、化合物ＱＤ−１を第１消光物質にし、５ｎｍ厚の第１励起子消光層を形成した。
【０２５０】
第１励起子消光層上に、化合物ＨＴ−１及び化合物ＥＴ−３をコホスト（重量比１：１）として、化合物ＰＤ−１をドーパント（１０重量％）として同時蒸着し、１２．５ｎｍ厚の第２発光層を形成した。
【０２５１】
第２発光層上に、化合物２１を５ｎｍ厚に真空蒸着し、正孔阻止層を形成した。
【０２５２】
正孔阻止層上部に、化合物ＥＴ−３を３０ｎｍ厚みに真空蒸着し、電子輸送層を形成した。電子輸送層上部に、ＬｉＦを１ｎｍ厚に真空蒸着し、電子注入層を形成し、Ａｌを真空蒸着し、３００ｎｍ（カソード）厚に真空蒸着し、有機発光素子を作製した。
＜ＨＴ１８＞
【化３８】
2020136256.tif 000115
＜ＴＣＴＡ＞
【化３９】
2020136256.tif 000116
＜ＨＴ−１＞
【化４０】
2020136256.tif 000117
＜ＥＴ−３＞
【化４１】
2020136256.tif 000118
＜ＱＤ−１＞
【化４２】
2020136256.tif 000119
＜ＰＤ−１＞
【化４３】
2020136256.tif 000120
【０２５３】
［実施例２］
第１励起子消光層と第１発光層との界面においては、化合物ＱＤ−１の濃度が５重量％であり、第１励起子消光層と第２発光層との界面においては、化合物ＱＤ−１の濃度が０．５％である濃度勾配が形成されるように、第１励起子消光層を形成した点を除いては、実施例１と同一方法を利用し、有機発光素子を作製した
【０２５４】
［比較例１］
第１励起子消光層及び第２発光層を形成せず、第１発光層上に正孔阻止層を形成した点を除いては、実施例１と同一方法を利用し、有機発光素子を作製した。
【０２５５】
［評価例２：有機発光素子の評価］
実施例１，２及び比較例１で作製された有機発光素子の駆動電圧、電流効率及び寿命（ＬＴ５０）をＫｅｉｔｈｌｅｙ  ＳＭＵ  ２３６及び輝度計ＰＲ６５０を利用して測定し、その結果を表２に示した。寿命は、初期輝度の５０％になるまでにかかった時間を測定したものである。
【０２５６】
【表２】
2020136256.tif 000121
【０２５７】
表２から、実施例１の有機発光素子は、比較例１より高効率及び長寿命を有するということを確認することができる。
【産業上の利用可能性】
【０２５８】
本発明の、有機発光素子、及びそれを含む電子装置は、例えば、発光関連の技術分野に効果的に適用可能である。
【符号の説明】
【０２５９】
１０    有機発光素子
１１０    アノード
１３１    第１発光層
１３２    第２発光層
１３３    第１励起子消光層
１５０    有機層
１９０    カソード
【図１】
2020136256.tif 000156